(57)【要約】【課題】ナビゲーションの情報を効果的に利用することができる通信システムを提供する。【解決手段】通信システムは、ナビゲーションの機能を有する第１の情報通信端末と、第２の情報通信端末と、通信装置と、を備え、前記第１の情報通信端末は、前記ナビゲーションにおける予定の情報を前記通信装置に送信する予定情報送信部を備え、前記通信装置は、前記第１の情報通信端末から送信された予定の情報を受信する予定情報受信部と、前記予定情報受信部により受信された予定の情報に基づく情報を前記第２の情報通信端末に送信する予定情報送信部と、を備え、前記第２の情報通信端末は、前記通信装置から送信された情報を受信する予定情報受信部と、前記予定情報受信部により受信された情報に基づく情報を出力する出力部と、を備える、ことを特徴とする。【選択図】図１
2014092816.tif 000002
【特許請求の範囲】
【請求項１】
ナビゲーションの機能を有する第１の情報通信端末と、第２の情報通信端末と、通信装置と、を備え、
前記第１の情報通信端末は、前記ナビゲーションにおける予定の情報を前記通信装置に送信する予定情報送信部を備え、
前記通信装置は、前記第１の情報通信端末から送信された予定の情報を受信する予定情報受信部と、前記予定情報受信部により受信された予定の情報に基づく情報を前記第２の情報通信端末に送信する予定情報送信部と、を備え、
前記第２の情報通信端末は、前記通信装置から送信された情報を受信する予定情報受信部と、前記予定情報受信部により受信された情報に基づく情報を出力する出力部と、を備える、
ことを特徴とする通信システム。
【請求項２】
前記第１の情報通信端末は、前記予定の情報を含む所定のパラメータの情報を生成するパラメータ生成部を備え、
前記第１の情報通信端末と前記通信装置のうちの一方または両方は、前記パラメータの情報に基づいて文章の情報を生成する文章生成部を備え、
前記通信装置は、前記生成された文章の情報を前記第２の情報通信端末に送信する文章送信部を備え、
前記第２の情報通信端末は、前記通信装置から送信された文章の情報を受信する文章受信部と、前記文章受信部により受信された文章の情報を出力する文章出力部と、を備える、
ことを特徴とする請求項１に記載の通信システム。
【請求項３】
前記第１の情報通信端末は、前記予定の情報を含む所定のパラメータの情報を生成するパラメータ生成部を備え、
前記第１の情報通信端末と前記通信装置のうちの一方または両方は、前記パラメータの情報に基づいて選択肢の情報を生成する選択肢生成部を備え、
前記通信装置は、前記生成された選択肢の情報を前記第２の情報通信端末に送信する選択肢送信部を備え、
前記第２の情報通信端末は、前記通信装置から送信された選択肢の情報を受信する選択肢受信部と、前記選択肢受信部により受信された選択肢の情報を出力する選択肢出力部と、を備える、
ことを特徴とする請求項１に記載の通信システム。
【請求項４】
前記第１の情報通信端末は、所定の選択肢の情報を選択する選択肢選択部を備え、
前記第１の情報通信端末と前記通信装置のうちの一方または両方は、前記選択された選択肢の情報に基づいて文章の情報を生成する文章生成部を備え、
前記通信装置は、前記生成された文章の情報を前記第２の情報通信端末に送信する文章送信部を備え、
前記第２の情報通信端末は、前記通信装置から送信された文章の情報を受信する文章受信部と、前記文章受信部により受信された文章の情報を出力する文章出力部と、を備える、
ことを特徴とする請求項１に記載の通信システム。
【請求項５】
前記第１の情報通信端末は、所定の選択肢の情報を選択する選択肢選択部を備え、
前記第１の情報通信端末と前記通信装置のうちの一方または両方は、前記選択された選択肢の情報に基づいて選択肢の情報を生成する選択肢生成部を備え、
前記通信装置は、前記生成された選択肢の情報を前記第２の情報通信端末に送信する選択肢送信部を備え、
前記第２の情報通信端末は、前記通信装置から送信された選択肢の情報を受信する選択肢受信部と、前記選択肢受信部により受信された選択肢の情報を出力する選択肢出力部と、を備える、
ことを特徴とする請求項１に記載の通信システム。
【請求項６】
前記第１の情報通信端末と前記通信装置のうちの一方または両方は、前記第２の情報通信端末から送信される情報に基づいて情報を検索する情報検索部を備え、
前記第１の情報通信端末は、前記情報検索部による情報の検索の結果を出力する情報検索結果出力部を備える、
ことを特徴とする請求項１から請求項５のいずれか１項に記載の通信システム。
【請求項７】
前記第１の情報通信端末と前記通信装置のうちの一方または両方は、前記第１の情報通信端末の通信対象となる前記第２の情報通信端末を管理する通信管理部を備える、
ことを特徴とする請求項１から請求項６のいずれか１項に記載の通信システム。
【請求項８】
前記通信管理部は、特定と不特定とのそれぞれの場合について、前記第１の情報通信端末の通信対象となる前記第２の情報通信端末を管理する、
ことを特徴とする請求項７に記載の通信システム。
【請求項９】
前記第２の情報通信端末は、所定のパラメータの情報を生成するパラメータ生成部を備え、
前記第２の情報通信端末と前記通信装置のうちの一方または両方は、前記パラメータの情報に基づいて文章の情報を生成する文章生成部を備え、
前記通信装置は、前記生成された文章の情報を前記第１の情報通信端末に送信する文章送信部を備え、
前記第１の情報通信端末は、前記通信装置から送信された文章の情報を受信する文章受信部と、前記文章受信部により受信された文章の情報を出力する文章出力部と、を備える、
ことを特徴とする請求項１に記載の通信システム。
【請求項１０】
前記第２の情報通信端末は、所定のパラメータの情報を生成するパラメータ生成部を備え、
前記第２の情報通信端末と前記通信装置のうちの一方または両方は、前記パラメータの情報に基づいて選択肢の情報を生成する選択肢生成部を備え、
前記通信装置は、前記生成された選択肢の情報を前記第１の情報通信端末に送信する選択肢送信部を備え、
前記第１の情報通信端末は、前記通信装置から送信された選択肢の情報を受信する選択肢受信部と、前記選択肢受信部により受信された選択肢の情報を出力する選択肢出力部と、を備える、
ことを特徴とする請求項１に記載の通信システム。
【請求項１１】
前記第２の情報通信端末は、所定の選択肢の情報を選択する選択肢選択部を備え、
前記第２の情報通信端末と前記通信装置のうちの一方または両方は、前記選択された選択肢の情報に基づいて文章の情報を生成する文章生成部を備え、
前記通信装置は、前記生成された文章の情報を前記第１の情報通信端末に送信する文章送信部を備え、
前記第１の情報通信端末は、前記通信装置から送信された文章の情報を受信する文章受信部と、前記文章受信部により受信された文章の情報を出力する文章出力部と、を備える、
ことを特徴とする請求項１に記載の通信システム。
【請求項１２】
前記第２の情報通信端末は、所定の選択肢の情報を選択する選択肢選択部を備え、
前記第２の情報通信端末と前記通信装置のうちの一方または両方は、前記選択された選択肢の情報に基づいて選択肢の情報を生成する選択肢生成部を備え、
前記通信装置は、前記生成された選択肢の情報を前記第１の情報通信端末に送信する選択肢送信部を備え、
前記第１の情報通信端末は、前記通信装置から送信された選択肢の情報を受信する選択肢受信部と、前記選択肢受信部により受信された選択肢の情報を出力する選択肢出力部と、を備える、
ことを特徴とする請求項１に記載の通信システム。
【請求項１３】
前記第１の情報通信端末と前記第２の情報通信端末のうちの一方または両方は、文章の情報に基づいて音声の情報を合成する音声合成部と、前記音声合成部により合成された音声を出力する音声出力部と、を備える、
ことを特徴とする請求項１から請求項１２のいずれか１項に記載の通信システム。
【請求項１４】
前記第２の情報通信端末は、情報が入力される入力部と、
前記入力部に入力された情報に基づくパラメータの情報を生成するパラメータ生成部と、を備える、
ことを特徴とする請求項１から請求項１３のいずれか１項に記載の通信システム。
【請求項１５】
前記第１の情報通信端末は、前記第２の情報通信端末から送信される情報に基づいてナビゲーションの設定を行うナビゲーション設定部を備える、
ことを特徴とする請求項１から請求項１４のいずれか１項に記載の通信システム。
【請求項１６】
前記第２の情報通信端末から送信される前記ナビゲーションの設定を行うための情報は、経路の情報または目的地の情報である、
ことを特徴とする請求項１５に記載の通信システム。
【請求項１７】
同一の項目の選択肢について、特定に対応する選択肢と、不特定に対応する選択肢を用いる、
ことを特徴とする請求項１から請求項１６のいずれか１項に記載の通信システム。
【請求項１８】
ナビゲーションの機能を有する第１の情報通信端末が、前記ナビゲーションにおける予定の情報を通信装置に送信し、
前記通信装置が、前記第１の情報通信端末から送信された予定の情報を受信し、受信された予定の情報に基づく情報を第２の情報通信端末に送信し、
前記第２の情報通信端末が、前記通信装置から送信された情報を受信し、受信された情報に基づく情報を出力する、
ことを特徴とする通信方法。
【請求項１９】
ナビゲーションの機能を有する第１の情報通信端末から送信される前記ナビゲーションにおける予定の情報を受信する予定情報受信部と、
前記予定情報受信部により受信された予定の情報に基づく情報を当該情報に基づく情報を出力する第２の情報通信端末に送信する予定情報送信部と、
を備えることを特徴とする通信装置。
【請求項２０】
通信装置のコンピュータに、
予定情報受信部が、ナビゲーションの機能を有する第１の情報通信端末から送信される前記ナビゲーションにおける予定の情報を受信する手順と、
予定情報送信部が、前記予定情報受信部により受信された予定の情報に基づく情報を当該情報に基づく情報を出力する第２の情報通信端末に送信する手順と、
を実行させるための通信プログラム。
【発明の詳細な説明】
【技術分野】
【０００１】
本発明は、通信システム、通信方法、通信装置および通信プログラムに関する。
【背景技術】
【０００２】
車両などに搭載されるナビゲーション装置あるいはユーザ（人）により携帯される携帯電話機（スマートフォンを含む）などに搭載されるナビゲーション装置では、液晶パネル等の画面にナビゲーション情報を表示することなどを行う。
また、一般的にＴｗｉｔｔｅｒ（ツイッター）として知られる技術では、ユーザは、パーソナルコンピュータ（ＰＣ）や携帯電話機などを使用して、インターネット上において、情報の収集や、情報の書き込みなどを行う。
【０００３】
一例として、特許文献１に記載された「情報処理装置」では、情報提供用のサーバにアクセスし、前記サーバからの情報を取得する通信手段と、前記通信手段で取得した情報を解析して１つ以上の発言データを取得し、かつ、各発言データから発言者の識別情報と発言者の画像を示す情報、および発言内容を取得する取得手段と、前記発言者の画像を示す情報から発言者の画像データを取得し、前記発言者の識別情報とあわせて表示する表示手段と、前記発言内容を解析し、不要な情報を取り除き音声合成用の文章を作成する文章作成手段と、前記文章作成手段で作成した文章を音声合成により報知する報知手段と、を具備する。これにより、「情報処理装置」では、情報提供サーバから収集した情報のうち、読み上げ不要な情報は除去して読み上げることが図られる（特許文献１参照。）。
【０００４】
一例として、特許文献２に記載された「携帯機器と連携した車載機器を用いてコンテンツを自動的に投稿するためのシステム」では、車両に搭載され、表示装置に接続されると共に、通信機能および情報処理機能を備える携帯機器と通信する通信手段を有する車載機器を備えるシステムであって、前記携帯機器がネットワーク上の所定の投稿サイトにアクセスしたことに応じて、当該投稿サイトの特性および当該携帯機器による投稿を行う投稿者の特性の少なくとも一方を規定したプロファイル情報を読み込む手段と、前記車載機器によって、前記車両の走行状態に関する情報を取得する手段と、前記プロファイル情報および前記取得した走行状態の情報に基づいて、投稿すべきコンテンツを作成する手段と、前記作成したコンテンツが前記投稿サイトに反映されるように、前記携帯機器によって、当該コンテンツを、当該投稿サイトを提供するサーバに送信する手段と、前記サーバから前記携帯機器を介して受信した前記投稿サイト上のコンテンツを、前記表示装置上に表示する表示手段と、を備える。これにより、「携帯機器と連携した車載機器を用いてコンテンツを自動的に投稿するためのシステム」では、車内においても、投稿サービスを利用可能とすることが図られる（特許文献２参照。）。
【０００５】
一例として、特許文献３に記載された「車載用表示装置、表示方法および情報表示システム」では、車両に搭載され、ユーザが投稿した投稿情報を表示する車載用表示装置であって、前記投稿情報の投稿先を示す位置情報に基づいて特定される位置に、前記投稿情報をカテゴリに分類するカテゴリ分類部によって分類されたカテゴリに応じた表示形式で前記投稿情報を表示させた地図データを表示する表示部、を有する。これにより、「車載用表示装置、表示方法および情報表示システム」では、安全運転を阻害することなく、車載装置に表示された投稿情報の内容を一見して把握することが図られる（特許文献３参照。）。
【０００６】
一例として、特許文献４に記載された「車載用表示装置および表示方法」では、車両に搭載され、サーバに投稿された投稿情報を取得する情報取得部によって取得された投稿情報を、当該投稿情報が投稿されてから前記情報取得部によって取得されるまでの経過時間と当該投稿情報がカテゴリとに基づいて変更される表示手法で表示する表示部、を有する。これにより、「車載用表示装置および表示方法」では、安全運転を阻害することなく、車載装置に表示された投稿情報の内容を一見して把握することが図られる（特許文献４参照。）。
【先行技術文献】
【特許文献】
【０００７】
【特許文献１】特開２０１２−６８９１０号公報
【特許文献２】特開２０１２−８９６９号公報
【特許文献３】特開２０１１−２４７８３１号公報
【特許文献４】特開２０１１−２４７８３２号公報
【発明の概要】
【発明が解決しようとする課題】
【０００８】
しかしながら、従来では、ナビゲーション装置において行われるナビゲーションにおける予定の情報を他の装置へ送るシステムがなかったため、ナビゲーション装置を使用するユーザ以外の者がナビゲーションにおける予定の情報を知ることができないといった問題があった。
【０００９】
本発明は、このような事情に鑑みてなされたものであり、その目的は、ナビゲーションの情報を効果的に利用することができる通信システム、通信方法、通信装置および通信プログラムを提供することにある。
【課題を解決するための手段】
【００１０】
（１）本発明は上記の課題を解決するためになされたものであり、本発明の一態様は、通信システムであって、ナビゲーションの機能を有する第１の情報通信端末と、第２の情報通信端末と、通信装置と、を備え、前記第１の情報通信端末は、前記ナビゲーションにおける予定の情報を前記通信装置に送信する予定情報送信部を備え、前記通信装置は、前記第１の情報通信端末から送信された予定の情報を受信する予定情報受信部と、前記予定情報受信部により受信された予定の情報に基づく情報を前記第２の情報通信端末に送信する予定情報送信部と、を備え、前記第２の情報通信端末は、前記通信装置から送信された情報を受信する予定情報受信部と、前記予定情報受信部により受信された情報に基づく情報を出力する出力部と、を備える、ことを特徴とする。
【００１１】
（２）また、本発明の一態様は、上記した（１）に記載の通信システムであって、前記第１の情報通信端末は、前記予定の情報を含む所定のパラメータの情報を生成するパラメータ生成部を備え、前記第１の情報通信端末と前記通信装置のうちの一方または両方は、前記パラメータの情報に基づいて文章の情報を生成する文章生成部を備え、前記通信装置は、前記生成された文章の情報を前記第２の情報通信端末に送信する文章送信部を備え、前記第２の情報通信端末は、前記通信装置から送信された文章の情報を受信する文章受信部と、前記文章受信部により受信された文章の情報を出力する文章出力部と、を備える、ことを特徴とする。
【００１２】
（３）また、本発明の一態様は、上記した（１）に記載の通信システムであって、前記第１の情報通信端末は、前記予定の情報を含む所定のパラメータの情報を生成するパラメータ生成部を備え、前記第１の情報通信端末と前記通信装置のうちの一方または両方は、前記パラメータの情報に基づいて選択肢の情報を生成する選択肢生成部を備え、前記通信装置は、前記生成された選択肢の情報を前記第２の情報通信端末に送信する選択肢送信部を備え、前記第２の情報通信端末は、前記通信装置から送信された選択肢の情報を受信する選択肢受信部と、前記選択肢受信部により受信された選択肢の情報を出力する選択肢出力部と、を備える、ことを特徴とする。
【００１３】
（４）また、本発明の一態様は、上記した（１）に記載の通信システムであって、前記第１の情報通信端末は、所定の選択肢の情報を選択する選択肢選択部を備え、前記第１の情報通信端末と前記通信装置のうちの一方または両方は、前記選択された選択肢の情報に基づいて文章の情報を生成する文章生成部を備え、前記通信装置は、前記生成された文章の情報を前記第２の情報通信端末に送信する文章送信部を備え、前記第２の情報通信端末は、前記通信装置から送信された文章の情報を受信する文章受信部と、前記文章受信部により受信された文章の情報を出力する文章出力部と、を備える、ことを特徴とする。
【００１４】
（５）また、本発明の一態様は、上記した（１）に記載の通信システムであって、前記第１の情報通信端末は、所定の選択肢の情報を選択する選択肢選択部を備え、前記第１の情報通信端末と前記通信装置のうちの一方または両方は、前記選択された選択肢の情報に基づいて選択肢の情報を生成する選択肢生成部を備え、前記通信装置は、前記生成された選択肢の情報を前記第２の情報通信端末に送信する選択肢送信部を備え、前記第２の情報通信端末は、前記通信装置から送信された選択肢の情報を受信する選択肢受信部と、前記選択肢受信部により受信された選択肢の情報を出力する選択肢出力部と、を備える、ことを特徴とする。
【００１５】
（６）また、本発明の一態様は、上記した（１）から上記した（５）のいずれか１つに記載の通信システムであって、前記第１の情報通信端末と前記通信装置のうちの一方または両方は、前記第２の情報通信端末から送信される情報に基づいて情報を検索する情報検索部を備え、前記第１の情報通信端末は、前記情報検索部による情報の検索の結果を出力する情報検索結果出力部を備える、ことを特徴とする。
【００１６】
（７）また、本発明の一態様は、上記した（１）から上記した（６）のいずれか１つに記載の通信システムであって、前記第１の情報通信端末と前記通信装置のうちの一方または両方は、前記第１の情報通信端末の通信対象となる前記第２の情報通信端末を管理する通信管理部を備える、ことを特徴とする。
【００１７】
（８）また、本発明の一態様は、上記した（７）に記載の通信システムであって、前記通信管理部は、特定と不特定とのそれぞれの場合について、前記第１の情報通信端末の通信対象となる前記第２の情報通信端末を管理する、ことを特徴とする。
【００１８】
（９）また、本発明の一態様は、上記した（１）に記載の通信システムであって、前記第２の情報通信端末は、所定のパラメータの情報を生成するパラメータ生成部を備え、前記第２の情報通信端末と前記通信装置のうちの一方または両方は、前記パラメータの情報に基づいて文章の情報を生成する文章生成部を備え、前記通信装置は、前記生成された文章の情報を前記第１の情報通信端末に送信する文章送信部を備え、前記第１の情報通信端末は、前記通信装置から送信された文章の情報を受信する文章受信部と、前記文章受信部により受信された文章の情報を出力する文章出力部と、を備える、ことを特徴とする。
【００１９】
（１０）また、本発明の一態様は、上記した（１）に記載の通信システムであって、前記第２の情報通信端末は、所定のパラメータの情報を生成するパラメータ生成部を備え、前記第２の情報通信端末と前記通信装置のうちの一方または両方は、前記パラメータの情報に基づいて選択肢の情報を生成する選択肢生成部を備え、前記通信装置は、前記生成された選択肢の情報を前記第１の情報通信端末に送信する選択肢送信部を備え、前記第１の情報通信端末は、前記通信装置から送信された選択肢の情報を受信する選択肢受信部と、前記選択肢受信部により受信された選択肢の情報を出力する選択肢出力部と、を備える、ことを特徴とする。
【００２０】
（１１）また、本発明の一態様は、上記した（１）に記載の通信システムであって、前記第２の情報通信端末は、所定の選択肢の情報を選択する選択肢選択部を備え、前記第２の情報通信端末と前記通信装置のうちの一方または両方は、前記選択された選択肢の情報に基づいて文章の情報を生成する文章生成部を備え、前記通信装置は、前記生成された文章の情報を前記第１の情報通信端末に送信する文章送信部を備え、前記第１の情報通信端末は、前記通信装置から送信された文章の情報を受信する文章受信部と、前記文章受信部により受信された文章の情報を出力する文章出力部と、を備える、ことを特徴とする。
【００２１】
（１２）また、本発明の一態様は、上記した（１）に記載の通信システムであって、前記第２の情報通信端末は、所定の選択肢の情報を選択する選択肢選択部を備え、前記第２の情報通信端末と前記通信装置のうちの一方または両方は、前記選択された選択肢の情報に基づいて選択肢の情報を生成する選択肢生成部を備え、前記通信装置は、前記生成された選択肢の情報を前記第１の情報通信端末に送信する選択肢送信部を備え、前記第１の情報通信端末は、前記通信装置から送信された選択肢の情報を受信する選択肢受信部と、前記選択肢受信部により受信された選択肢の情報を出力する選択肢出力部と、を備える、ことを特徴とする。
【００２２】
（１３）また、本発明の一態様は、上記した（１）から上記した（１２）のいずれか１つに記載の通信システムであって、前記第１の情報通信端末と前記第２の情報通信端末のうちの一方または両方は、文章の情報に基づいて音声の情報を合成する音声合成部と、前記音声合成部により合成された音声を出力する音声出力部と、を備える、ことを特徴とする。
【００２３】
（１４）また、本発明の一態様は、上記した（１）から上記した（１３）のいずれか１つに記載の通信システムであって、前記第２の情報通信端末は、情報が入力される入力部と、前記入力部に入力された情報に基づくパラメータの情報を生成するパラメータ生成部と、を備えることを特徴とする。
【００２４】
（１５）また、本発明の一態様は、上記した（１）から上記した（１４）のいずれか１つに記載の通信システムであって、前記第１の情報通信端末は、前記第２の情報通信端末から送信される情報に基づいてナビゲーションの設定を行うナビゲーション設定部を備える、ことを特徴とする。
【００２５】
（１６）また、本発明の一態様は、上記した（１５）に記載の通信システムであって、前記第２の情報通信端末から送信される前記ナビゲーションの設定を行うための情報は、経路の情報または目的地の情報である、ことを特徴とする。
【００２６】
（１７）また、本発明の一態様は、上記した（１）から上記した（１６）のいずれか１つに記載の通信システムであって、同一の項目の選択肢について、特定に対応する選択肢と、不特定に対応する選択肢を用いる、ことを特徴とする。
【００２７】
（１８）また、本発明の一態様は、通信方法であって、ナビゲーションの機能を有する第１の情報通信端末が、前記ナビゲーションにおける予定の情報を前記通信装置に送信し、前記通信装置が、前記第１の情報通信端末から送信された予定の情報を受信し、受信された予定の情報に基づく情報を第２の情報通信端末に送信し、前記第２の情報通信端末が、前記通信装置から送信された情報を受信し、受信された情報に基づく情報を出力する、ことを特徴とする。
【００２８】
（１９）また、本発明の一態様は、通信装置であって、ナビゲーションの機能を有する第１の情報通信端末から送信される前記ナビゲーションにおける予定の情報を受信する予定情報受信部と、前記予定情報受信部により受信された予定の情報に基づく情報を当該情報に基づく情報を出力する第２の情報通信端末に送信する予定情報送信部と、を備えることを特徴とする。
【００２９】
（２０）また、本発明の一態様は、通信プログラムであって、通信装置のコンピュータに、予定情報受信部が、ナビゲーションの機能を有する第１の情報通信端末から送信される前記ナビゲーションにおける予定の情報を受信する手順と、予定情報送信部が、前記予定情報受信部により受信された予定の情報に基づく情報を当該情報に基づく情報を出力する第２の情報通信端末に送信する手順と、を実行させるためのプログラムである。
【発明の効果】
【００３０】
本発明によれば、ナビゲーションの情報を効果的に利用することができる通信システム、通信方法、通信装置および通信プログラムを提供することができる。
【図面の簡単な説明】
【００３１】
【図１】本発明の実施形態に係る通信システムの構成の一例を示す概略ブロック図である。
【図２】本発明の実施形態に係る情報通信端末（ナビ）の構成の一例を示す概略ブロック図である。
【図３】本発明の実施形態に係る情報通信端末（フォロワー）の構成の一例を示す概略ブロック図である。
【図４】本発明の実施形態に係るサーバの構成の一例を示す概略ブロック図である。
【図５】本発明の実施形態に係る情報通信端末（ナビ）の表示部の画面の表示の一例を示す図である。
【図６】本発明の実施形態に係る情報通信端末（ナビ）の表示部の画面の表示の一例を示す図である。
【図７】本発明の実施形態に係る情報通信端末（ナビ）の表示部の画面の表示の一例を示す図である。
【図８】本発明の実施形態に係る情報通信端末（ナビ）の表示部の画面の表示の一例を示す図である。
【図９】本発明の実施形態に係るステータスに関してパラメータおよび選択肢の組み合わせと文章との対応の一例を示す図である。
【図１０】本発明の実施形態に係る情報通信端末（ナビ）の表示部の画面の表示の一例を示す図である。
【図１１】本発明の実施形態に係る情報通信端末（ナビ）の表示部の画面の表示の一例を示す図である。
【図１２】本発明の実施形態に係る選択肢と文章との対応の一例を示す図である。
【図１３】本発明の第１実施形態に係る通信システムにおいて行われる処理の様子の一例を示す図である。
【図１４】本発明の第１実施形態に係る通信システムにおいて行われる処理の様子の変形例を示す図である。
【図１５】本発明の第１実施形態に係る通信システムにおいて行われる処理の流れの一例を示す図である。
【図１６】本発明の第２実施形態に係る通信システムにおいて行われる処理の様子の一例を示す図である。
【図１７】本発明の第３実施形態に係る通信システムにおいて行われる処理の様子の一例を示す図である。
【図１８】本発明の第３実施形態に係る通信システムにおいて行われる処理の流れの一例を示す図である。
【図１９】本発明の第４実施形態に係る通信システムにおいて行われる処理の様子の一例を示す図である。
【図２０】本発明の第４実施形態に係る通信システムにおいて行われる処理の流れの一例を示す図である。
【発明を実施するための形態】
【００３２】
以下、図面を参照しながら本発明の実施形態について詳しく説明する。
［本実施形態に係る通信システムの概要］
図１は、本実施形態に係る通信システムの構成の一例を示す概略ブロック図である。
本実施形態に係る通信システムは、Ｎ（Ｎは２以上の整数値）個の情報通信端末（ナビ）１−１〜１−Ｎと、Ｍ（Ｍは２以上の整数値）個の情報通信端末（フォロワー）２−１〜２−Ｍと、１個のサーバ３と、を備える。
【００３３】
ここで、本実施形態では、Ｎ個の情報通信端末（ナビ）１−１〜１−Ｎは、同様な機能を有し、同様な動作を行う。これらＮ個の情報通信端末（ナビ）１−１〜１−Ｎは、それぞれ、様々な端末として構成されてもよく、例えば、車両などに搭載されるナビゲーション装置（車両の場合には、カーナビゲーション装置）の機能を有する端末として構成されてもよく、または、ユーザにより携帯される携帯電話機（スマートフォンを含む）などに搭載されるナビゲーション装置の機能を有する端末（携帯電話機の端末など）として構成されてもよい。ユーザは、携帯型の端末を持つことで、徒歩や電車などでの移動中において、当該端末のナビゲーション機能を利用することができる。
なお、本実施形態では、情報通信端末（ナビ）１−１〜１−Ｎの数を複数とするが、情報通信端末（ナビ）の数が１個であってもよい。
【００３４】
また、本実施形態では、Ｍ個の情報通信端末（フォロワー）２−１〜２−Ｍは、同様な機能を有し、同様な動作を行う。これらＭ個の情報通信端末（フォロワー）２−１〜２−Ｍは、それぞれ、様々な端末として構成されてもよく、例えば、屋内などに設置されるテレビジョン受像機の端末として構成されてもよく、パーソナルコンピュータ（ＰＣ）の端末として構成されてもよく、または、ユーザにより携帯される携帯電話機（スマートフォンを含む）などの端末として構成されてもよい。
【００３５】
また、本実施形態では、Ｎ個の情報通信端末（ナビ）１−１〜１−ＮおよびＭ個の情報通信端末（フォロワー）２−１〜２−Ｍについて、共通に、１個のサーバ３を備えるが、例えば、１個のサーバ３により処理する情報通信端末（ナビ）の数や情報通信端末（フォロワー）の数としては、それぞれ、任意であってもよい。
また、本実施形態に係るサーバ３と同様なサーバが複数備えられてもよい。
【００３６】
また、本実施形態では、情報通信端末（ナビ）１−１〜１−Ｎとサーバ３との間で無線により通信を行う構成を示すが、他の構成例として、情報通信端末（ナビ）１−１〜１−Ｎとサーバ３との間で有線により通信を行う構成が用いられてもよい。
また、本実施形態では、情報通信端末（フォロワー）２−１〜２−Ｍとサーバ３との間で無線により通信を行う構成を示すが、他の構成例として、情報通信端末（フォロワー）２−１〜２−Ｍとサーバ３との間で有線により通信を行う構成が用いられてもよい。
【００３７】
本実施形態に係る通信システムでは、例えば、ナビゲーションの機能とツイッターの機能を組み合わせたような構成において、本実施形態で説明する様々な処理を実行することができる。
【００３８】
［本実施形態に係る情報通信端末（ナビ）の概要］
図２は、本実施形態に係る情報通信端末（ナビ）１の構成の一例を示す概略ブロック図である。
ここで、本実施形態では、Ｎ個の情報通信端末（ナビ）１−１〜１−Ｎは、同様な機能の処理部を備えるため、これらをまとめて、情報通信端末（ナビ）１として説明する。
情報通信端末（ナビ）１は、ネットワークインタフェース（ネットワークＩ／Ｆ）１１と、位置情報解析部１２と、地図データ合成部１３と、表示部１４と、入力部１５と、選択肢選択部１６と、パラメータデータベース（パラメータＤＢ）１７と、パラメータ生成部１８と、文章認識部１９と、音声合成部２０と、音声出力部２１と、情報検索部２２と、を備える。
【００３９】
ネットワークＩ／Ｆ１１は、外部の装置との間で通信を行う機能を有しており、本実施形態では、サーバ３との間で無線（無線の回線）により通信を行う機能を有する。
なお、本実施形態では、無線の回線を用いるが、他の構成例として、有線の回線を用いる場合には、ネットワークＩ／Ｆ１１は、サーバ３との間で有線（有線の回線）により通信を行う機能を有する。
また、本実施形態では、ネットワークＩ／Ｆ１１は、例えばインターネットなどのネットワーク上の装置との間で、無線により（または、有線により）通信を行う機能を有する。
【００４０】
また、ネットワークＩ／Ｆ１１は、外部の装置（本実施形態では、サーバ３）との間で通信を行う場合に、送信する信号に、自己の端末（情報通信端末（ナビ）１）のアドレスの情報を付加し、また、受信された信号に含まれる他の装置（例えば、サーバ３、または、もともとの送信元の情報通信端末（フォロワー）２）のアドレスの情報を取得（例えば、抽出）する。ネットワークＩ／Ｆ１１により取得された他の装置のアドレスの情報は、例えば、位置情報解析部１２や地図データ合成部１３や表示部１４や文章認識部１９（または、他の処理部）により参照して使用することが可能である。
なお、ネットワークＩ／Ｆ１１（または、他の処理部でもよい）は、自己の端末（情報通信端末（ナビ）１）のアドレスの情報をメモリに記憶する。
【００４１】
位置情報解析部１２は、例えば、ＧＰＳ（Ｇｌｏｂａｌ  Ｐｏｓｉｔｉｏｎｉｎｇ  Ｓｙｓｔｅｍ）の機能を有しており、自己の端末（情報通信端末（ナビ）１）の位置の情報を解析して取得する。
ここで、位置情報解析部１２は、ナビゲーションにおける様々な情報を解析する機能を有しており、例えば、自己の端末（情報通信端末（ナビ）１）の現在の位置、予定となる目的地の位置、目的地に到着する予想（予定）の時刻（目的地到着時刻）、などに関する情報を処理する。
【００４２】
地図データ合成部１３は、予め自部が備えるメモリに記憶させておいた地図のデータ（を読み出し、読み出した地図データに情報を合成して、表示用の地図データを生成する。地図データ合成部１３は、メモリに記憶させた地図データの代わりにサーバ３から受信した地図データを用いてもよい。
ここで、地図データに合成される情報としては、様々な情報が用いられてもよく、例えば、自己の端末（情報通信端末（ナビ）１）の現在の位置、目的地の位置、目的地に到着する予想の時刻（目的地到着時刻）、ランドマーク（目印になる建造物）、各種のボタン、などに関する情報が用いられる。また、地図データに合成される情報としては、例えば、文章認識部１９により認識された文章の情報を用いることができる。
【００４３】
表示部１４は、液晶パネル等の画面を有しており、各種の情報を画面に表示する。
本実施形態では、表示部１４は、例えば、地図データ合成部１３により生成される表示用の地図データの情報や、情報検索部２２により検索されて取得される情報や、ネットワークＩ／Ｆ１１によりサーバ３から受信される情報、などを画面に表示する。
【００４４】
入力部１５は、ユーザにより操作される操作部を有しており、ユーザによる操作に応じて、指示や情報（例えば、文字等の情報）を入力する。
ここで、操作部としては、様々なものが用いられてもよく、例えば、キーボード、マウス、タッチパネル、タッチペン、または、音声により指示や情報を入力する機能（音声認識機能）などを用いることができる。操作部としてタッチパネルを用いる場合には、表示部１４の画面にタッチパネルの機能を設けることができる。また、操作部は、例えば、情報通信端末（ナビ）１の本体とは分離したもの（例えば、リモートコントローラ）を用いて構成されてもよい。
なお、本実施形態では、入力部１５は、入力した情報をネットワークＩ／Ｆ１１を介してサーバ３に対して送信することができる。
【００４５】
選択肢選択部１６は、入力部１５により入力される指示等に基づいて、選択の候補となる選択肢のうちで、ユーザにより選択された選択肢を認識する。
具体例として、選択肢選択部１６は、ユーザにより選択することが可能なメニューボタン等の１個または複数個のボタン（ここでは、選択肢）が表示部１４の画面に表示されているときに、ユーザにより入力部１５の操作部が操作されて、いずれかのボタンが押下された場合に、そのボタンに対応する選択肢がユーザにより選択されたことを認識（検出）する。
なお、本実施形態では、選択肢選択部１６は、認識した選択肢の選択結果の情報をネットワークＩ／Ｆ１１を介してサーバ３に対して送信することができる。
ここで、ユーザにより選択することが可能な選択肢は、例えば、サーバ３により生成されて情報通信端末（ナビ）１に送信されてもよく、または、情報通信端末（ナビ）１において生成されてもよい。
【００４６】
パラメータＤＢ１７は、各種のパラメータを記憶する。
本実施形態では、パラメータとして、自己の端末（情報通信端末（ナビ）１）の現在の位置、目的地の位置、目的地に到着する予想の時刻（目的地到着時刻）などの情報を用いる。
パラメータ生成部１８は、パラメータＤＢ１７に記憶されるパラメータを使用して、サーバ３に送信するパラメータの情報（例えば、パラメータの組み合わせの情報）を生成する。
なお、本実施形態では、パラメータ生成部１８は、生成したパラメータの情報をネットワークＩ／Ｆ１１を介してサーバ３に対して送信することができる。
ここで、パラメータの情報は、例えば、複数のパラメータを組み合わせて含む情報が用いられてもよく、または、１個のパラメータのみを含む情報が用いられてもよい。
【００４７】
文章認識部１９は、文章の情報を認識する機能を有する。
なお、文章の情報は、例えば、サーバ３により生成されて情報通信端末（ナビ）１に送信されてもよく、または、情報通信端末（ナビ）１において生成されてもよい。
音声合成部２０は、文章認識部１９により認識された文章に対応する音声の情報を音声合成により生成する。
音声出力部２１は、スピーカを有しており、音声合成部２０により生成された音声情報に対応する音声をスピーカから出力する。
【００４８】
情報検索部２２は、各種の情報を検索する機能を有する。
具体的には、情報検索部２２は、例えば、ネットワークＩ／Ｆ１１を介してインターネットなどのネットワーク上の装置と通信することにより、インターネット上における様々なサイトの情報などを検索して取得する。
また、情報検索部２２は、例えば、各種の情報を自己のメモリやデータベースなどに記憶しておいて、これに記憶された情報のうちから情報を検索してもよい。なお、情報検索の対象とする各種の情報としては、例えば、ナビゲーションの機能において記憶される情報を利用してもよく、または、他の情報を利用してもよい。
【００４９】
［本実施形態に係る情報通信端末（フォロワー）の概要］
図３は、本発明の実施形態に係る情報通信端末（フォロワー）２の構成の一例を示す概略ブロック図である。
ここで、本実施形態では、Ｍ個の情報通信端末（フォロワー）２−１〜２−Ｍは、同様な機能の処理部を備えるため、これらをまとめて、情報通信端末（フォロワー）２として説明する。
情報通信端末（フォロワー）２は、ネットワークインタフェース（ネットワークＩ／Ｆ）３１と、位置情報解析部３２と、地図データ合成部３３と、表示部３４と、入力部３５と、選択肢選択部３６と、文章認識部３７と、音声合成部３８と、音声出力部３９と、を備える。
【００５０】
ネットワークＩ／Ｆ３１は、外部の装置との間で通信を行う機能を有しており、本実施形態では、サーバ３との間で無線（無線の回線）により通信を行う機能を有する。
なお、本実施形態では、無線の回線を用いるが、他の構成例として、有線の回線を用いる場合には、ネットワークＩ／Ｆ３１は、サーバ３との間で有線（有線の回線）により通信を行う機能を有する。
【００５１】
また、ネットワークＩ／Ｆ３１は、外部の装置（本実施形態では、サーバ３）との間で通信を行う場合に、送信する信号に、自己の端末（情報通信端末（フォロワー）２）のアドレスの情報を付加し、また、受信された信号に含まれる他の装置（例えば、サーバ３、または、もともとの送信元の情報通信端末（ナビ）１）のアドレスの情報を取得（例えば、抽出）する。ネットワークＩ／Ｆ３１により取得された他の装置のアドレスの情報は、例えば、位置情報解析部３２や地図データ合成部３３や表示部３４や文章認識部３７（または、他の処理部）により参照して使用することが可能である。
なお、ネットワークＩ／Ｆ３１（または、他の処理部でもよい）は、自己の端末（情報通信端末（フォロワー）２）のアドレスの情報をメモリに記憶する。
【００５２】
位置情報解析部３２は、サーバ３から送信される情報通信端末（ナビ）１−１〜１−Ｎに関する情報に基づいて、当該情報通信端末（ナビ）１−１〜１−Ｎの位置などの情報を解析して取得する。
ここで、位置情報解析部３２は、サーバ３から送信される情報通信端末（ナビ）１−１〜１−Ｎに関する情報に基づいて、ナビゲーションにおける様々な情報を解析する機能を有しており、例えば、情報通信端末（ナビ）１−１〜１−Ｎの現在の位置、目的地の位置、目的地に到着する予想の時刻（目的地到着時刻）、などに関する情報を処理する。
【００５３】
地図データ合成部３３は、地図のデータ（地図データ）をメモリに記憶しており、地図データに情報を合成して、表示用の地図データを生成する。
ここで、地図データに合成される情報としては、様々な情報が用いられてもよく、例えば、情報通信端末（ナビ）１−１〜１−Ｎの現在の位置、目的地の位置、目的地に到着する予想の時刻（目的地到着時刻）、または、各種のボタン、などに関する情報が用いられる。また、地図データに合成される情報としては、例えば、文章認識部３７により認識された文章の情報を用いることができる。
【００５４】
表示部３４は、液晶パネル等の画面を有しており、各種の情報を画面に表示する。
本実施形態では、表示部３４は、例えば、地図データ合成部３３により生成される表示用の地図データの情報や、ネットワークＩ／Ｆ３１によりサーバ３から受信される情報、などを画面に表示する。
【００５５】
入力部３５は、ユーザにより操作される操作部を有しており、ユーザによる操作に応じて、指示や情報（例えば、文字等の情報）を入力する。
ここで、操作部としては、様々なものが用いられてもよく、例えば、キーボード、マウス、タッチパネル、タッチペン、または、音声により指示や情報を入力する機能（音声認識機能）などを用いることができる。操作部としてタッチパネルを用いる場合には、表示部３４の画面にタッチパネルの機能を設けることができる。また、操作部は、例えば、情報通信端末（フォロワー）２の本体とは分離したもの（例えば、リモートコントローラ）を用いて構成されてもよい。
なお、本実施形態では、入力部３５は、入力した情報をネットワークＩ／Ｆ３１を介してサーバ３に対して送信することができる。
【００５６】
選択肢選択部３６は、入力部３５により入力される指示等に基づいて、選択の候補となる選択肢のうちで、ユーザにより選択された選択肢を認識する。
具体例として、選択肢選択部３６は、ユーザにより選択することが可能な１個または複数個のボタン（ここでは、選択肢）が表示部３４の画面に表示されているときに、ユーザにより入力部３５の操作部が操作されて、いずれかのボタンが押下された場合に、そのボタンに対応する選択肢がユーザにより選択されたことを認識（検出）する。
ここで、ユーザにより選択することが可能な選択肢は、例えば、サーバ３により生成されて情報通信端末（フォロワー）２に送信されてもよく、または、情報通信端末（フォロワー）２において生成されてもよい。
なお、本実施形態では、選択肢選択部３６は、認識した選択肢の選択結果の情報をネットワークＩ／Ｆ３１を介してサーバ３に対して送信することができる。
【００５７】
文章認識部３７は、文章の情報を認識する機能を有する。
なお、文章の情報は、例えば、サーバ３により生成されて情報通信端末（フォロワー）２に送信されてもよく、または、情報通信端末（フォロワー）２において生成されてもよい。
音声合成部３８は、文章認識部３７により認識された文章に対応する音声の情報を音声合成により生成する。
音声出力部３９は、スピーカを有しており、音声合成部３８により生成された音声情報に対応する音声をスピーカから出力する。
【００５８】
パラメータ生成部４０は、サーバ３に送信するパラメータの情報を生成する。
ここで、パラメータの情報としては、様々な情報が用いられてもよく、例えば、情報通信端末（フォロワー）２のユーザにより入力された情報などを用いることができる。
なお、本実施形態では、パラメータ生成部４０は、生成したパラメータの情報をネットワークＩ／Ｆ３１を介してサーバ３に対して送信することができる。
【００５９】
［本実施形態に係るサーバの概要］
図４は、本実施形態に係るサーバ３の構成の一例を示す概略ブロック図である。
サーバ３は、ネットワークインタフェース（ネットワークＩ／Ｆ）５１と、パラメータ認識部５２と、文章生成部５３と、選択肢生成部５４と、位置情報受信部５５と、位置情報送信部５６と、情報検索部５７と、通信管理部５８と、を備える。
【００６０】
ネットワークＩ／Ｆ５１は、外部の装置との間で通信を行う機能を有しており、本実施形態では、情報通信端末（ナビ）１−１〜１−Ｎや情報通信端末（フォロワー）２−１〜２−Ｍとの間で無線（無線の回線）により通信を行う機能を有する。
なお、本実施形態では、無線の回線を用いるが、他の構成例として、有線の回線を用いる場合には、ネットワークＩ／Ｆ５１は、情報通信端末（ナビ）１−１〜１−Ｎや情報通信端末（フォロワー）２−１〜２−Ｍとの間で有線（有線の回線）により通信を行う機能を有する。
また、本実施形態では、ネットワークＩ／Ｆ５１は、例えばインターネットなどのネットワーク上の装置との間で、無線により（または、有線により）通信を行う機能を有する。
【００６１】
また、ネットワークＩ／Ｆ５１は、外部の装置（本実施形態では、情報通信端末（ナビ）１や情報通信端末（フォロワー）２）との間で通信を行う場合に、送信する信号に、自己の装置（サーバ３）のアドレスの情報やもともとの送信元の端末（本実施形態では、情報通信端末（フォロワー）２や情報通信端末（ナビ）１）のアドレスの情報を付加し、また、受信された信号に含まれる他の装置（例えば、情報通信端末（ナビ）１や情報通信端末（フォロワー）２）のアドレスの情報を取得（例えば、抽出）する。ネットワークＩ／Ｆ５１により取得された他の装置のアドレスの情報は、例えば、パラメータ認識部５２や位置情報受信部５５や情報検索部５７や通信管理部５８（または、他の処理部）により参照して使用することが可能である。
なお、ネットワークＩ／Ｆ５１（または、他の処理部でもよい）は、自己の装置（サーバ３）のアドレスの情報をメモリに記憶する。
【００６２】
パラメータ認識部５２は、情報通信端末（ナビ）１−１〜１−Ｎから送信されるパラメータの情報や、情報通信端末（フォロワー）２−１〜２−Ｍから送信されるパラメータの情報を認識する。また、パラメータ認識部５２は、情報通信端末（ナビ）１−１〜１−Ｎから送信される選択肢の選択結果の情報や、情報通信端末（フォロワー）２−１〜２−Ｍから送信される選択肢の選択結果の情報を、パラメータの情報とみなして、認識する。
【００６３】
また、例えば、情報通信端末（ナビ）１−１〜１−Ｎや情報通信端末（フォロワー）２−１〜２−Ｍから文章の情報が送信される場合には、パラメータ認識部５２は、情報通信端末（ナビ）１−１〜１−Ｎから送信される文章の情報や、情報通信端末（フォロワー）２−１〜２−Ｍから送信される文章の情報を、パラメータの情報とみなして、認識する。
【００６４】
文章生成部５３は、パラメータ認識部５２によりパラメータの情報が認識された結果に基づいて、文章の情報を生成する。この場合に、文章生成部５３は、例えば、情報通信端末（ナビ）１−１〜１−Ｎや情報通信端末（フォロワー）２−１〜２−Ｍから送信される選択肢の選択結果の情報または他の情報も参照して、文章の情報を生成してもよい。
また、文章生成部５３は、例えば、情報通信端末（ナビ）１−１〜１−Ｎや情報通信端末（フォロワー）２−１〜２−Ｍから送信される選択肢の選択結果の情報または他の情報に基づいて、文章の情報を生成してもよい。
【００６５】
ここで、本実施形態では、文章生成部５３は、パラメータの情報（または、パラメータの情報および他の情報）に関する条件と、生成する文章の情報（例えば、文章のパターン）との対応付けをあらかじめメモリに記憶しており、この対応付けに基づいて、満たされる条件に対応する文章の情報を生成する。
また、本実施形態では、文章生成部５３は、選択肢（選択肢の選択結果）の情報（または、選択肢の情報および他の情報）に関する条件と、生成する文章の情報（例えば、文章のパターン）との対応付けをあらかじめメモリに記憶しており、この対応付けに基づいて、満たされる条件に対応する文章の情報を生成する。
なお、本実施形態では、文章生成部５３は、生成した文章の情報をネットワークＩ／Ｆ５１を介して情報通信端末（ナビ）１−１〜１−Ｎや情報通信端末（フォロワー）２−１〜２−Ｍに対して送信することができる。
【００６６】
また、例えば、情報通信端末（ナビ）１−１〜１−Ｎや情報通信端末（フォロワー）２−１〜２−Ｍから文章の情報が送信される場合には、文章生成部５３は、情報通信端末（ナビ）１−１〜１−Ｎや情報通信端末（フォロワー）２−１〜２−Ｍから受信された文章の情報を、そのまま、文章の情報の生成結果とみなして使用する。
【００６７】
選択肢生成部５４は、パラメータ認識部５２によりパラメータの情報が認識された結果に基づいて、選択の候補となる選択肢の情報を生成する。この場合に、選択肢生成部５４は、例えば、情報通信端末（ナビ）１−１〜１−Ｎや情報通信端末（フォロワー）２−１〜２−Ｍから送信される選択肢の選択結果の情報または他の情報も参照して、選択肢の情報を生成してもよい。
ここで、本実施形態では、選択肢生成部５４は、パラメータの情報（または、パラメータの情報および他の情報）に関する条件と、生成する選択肢の情報（例えば、選択肢のパターン）との対応付けをあらかじめメモリに記憶しており、この対応付けに基づいて、満たされる条件に対応する選択肢の情報を生成する。
なお、本実施形態では、選択肢生成部５４は、生成した選択肢の情報をネットワークＩ／Ｆ５１を介して情報通信端末（ナビ）１−１〜１−Ｎや情報通信端末（フォロワー）２−１〜２−Ｍに対して送信することができる。
【００６８】
位置情報受信部５５は、情報通信端末（ナビ）１−１〜１−Ｎや情報通信端末（フォロワー）２−１〜２−Ｍから送信される位置に関する情報を受信する。
ここで、この位置に関する情報としては、様々な情報が用いられてもよい。
具体的には、情報通信端末（ナビ）１−１〜１−Ｎから送信される位置に関する情報としては、例えば、当該情報通信端末（ナビ）１−１〜１−Ｎの現在の位置、目的地の位置、目的地に到着する予想の時刻（目的地到着時刻）などに関する情報を用いることができる。また、情報通信端末（フォロワー）２−１〜２−Ｍから送信される位置に関する情報としては、例えば、店の位置を示す情報や、経路の位置を示す情報などを用いることができる。
【００６９】
位置情報送信部５６は、情報通信端末（ナビ）１−１〜１−Ｎや情報通信端末（フォロワー）２−１〜２−Ｍに対して位置に関する情報を送信する。
ここで、この位置に関する情報としては、様々な情報が用いられてもよい。
具体的には、位置情報送信部５６は、例えば、情報通信端末（フォロワー）２−１〜２−Ｍに対して、位置に関する情報として、情報通信端末（ナビ）１−１〜１−Ｎの現在の位置、目的地の位置、目的地に到着する予想の時刻（目的地到着時刻）などに関する情報を送信する。また、位置情報送信部５６は、例えば、情報通信端末（ナビ）１−１〜１−Ｎに対して、位置に関する情報として、情報通信端末（フォロワー）２−１〜２−Ｍにおいてユーザにより入力された、店の位置を示す情報や、経路の位置を示す情報を送信する。
【００７０】
なお、位置情報送信部５６は、例えば、位置情報受信部５５により受信された位置に関する情報をそのまま送信してもよく、または、位置情報受信部５５により受信された位置に関する情報が加工されたものを送信してもよい。
また、位置情報送信部５６は、例えば、自己（サーバ３）において生成した位置に関する情報を送信してもよい。
【００７１】
情報検索部５７は、各種の情報を検索する機能を有する。
具体的には、情報検索部５７は、例えば、ネットワークＩ／Ｆ５１を介してインターネットなどのネットワーク上の装置と通信することにより、インターネット上における様々なサイトの情報などを検索して取得する。
また、情報検索部５７は、例えば、各種の情報を自己のメモリやデータベースまたは外部のデータベースなどに記憶しておいて、これに記憶された情報のうちから情報を検索してもよい。
なお、本実施形態では、情報検索部５７は、検索して取得した情報をネットワークＩ／Ｆ５１を介して情報通信端末（ナビ）１−１〜１−Ｎに対して送信することができる。
【００７２】
通信管理部５８は、情報通信端末（ナビ）１−１〜１−Ｎと情報通信端末（フォロワー）２−１〜２−Ｍとの間の通信を管理し、例えば、通信相手（例えば、送信対象）とする端末を管理する。各端末（情報通信端末（ナビ）１−１〜１−Ｎ、情報通信端末（フォロワー）２−１〜２−Ｍ）は、例えば、通信のアドレスの情報を用いて管理される。
【００７３】
一例として、通信管理部５８は、互いに通信相手とする情報通信端末（ナビ）１−１〜１−Ｎと情報通信端末（フォロワー）２−１〜２−Ｍとの対応をメモリに記憶して管理する。
具体的には、通信管理部５８は、ある情報通信端末（ナビ）からサーバ３に送信される情報に応じたサーバ３からの情報を、当該情報通信端末（ナビ）との通信相手として管理する特定の１個以上の情報通信端末（フォロワー）に送信するように制御する。また、この場合に、通信管理部５８は、この情報通信端末（フォロワー）から返信としてサーバ３に送信される情報に応じたサーバ３からの情報を、送信元である情報通信端末（ナビ）に送信するように制御する。
【００７４】
他の一例として、通信管理部５８は、情報通信端末（ナビ）１−１〜１−Ｎの通信相手とする情報通信端末（フォロワー）２−１〜２−Ｍを、例えば、全ての情報通信端末（フォロワー）２−１〜２−Ｍとするように管理することや、または、送信元の情報通信端末（ナビ）１−１〜１−Ｎの現在の位置に対して所定の範囲内に存在する情報通信端末（フォロワー）２−１〜２−Ｍとするように管理することや、または、送信元の情報通信端末（ナビ）１−１〜１−Ｎの目的地の位置に対して所定の範囲内に存在する情報通信端末（フォロワー）２−１〜２−Ｍとするように管理することや、または、所定の特性を有する情報通信端末（フォロワー）２−１〜２−Ｍとするように管理すること、などを行う。
具体的には、通信管理部５８は、ある情報通信端末（ナビ）からサーバ３に送信される情報に応じたサーバ３からの情報を、不特定の（例えば、１個以上の）情報通信端末（フォロワー）に送信するように制御する。また、この場合に、通信管理部５８は、この情報通信端末（フォロワー）から返信としてサーバ３に送信される情報に応じたサーバ３からの情報を、送信元である情報通信端末（ナビ）に送信するように制御する。
【００７５】
ここで、通信管理部５８は、例えば、一般的にツイッターの登録情報に含まれている情報通信端末（フォロワー）２−１〜２−Ｍの居住地の情報を参照して、その居住地の情報に基づいて、所定の位置（例えば、現在の位置、または、目的地の位置など）に対して所定の範囲内に存在する情報通信端末（フォロワー）であるか否かを判定することができる。
【００７６】
［本実施形態に係る情報通信端末（ナビ）における画面の表示およびサーバにおける文章の生成の概要］
図５は、本実施形態に係る情報通信端末（ナビ）１の表示部１４の画面１０１の表示の一例を示す図である。
この例では、表示部１４の画面１０１に、表示用の地図データの情報が表示されている。
具体的には、表示部１４の画面１０１に、自己の端末（情報通信端末（ナビ）１）の位置を含む地図が表示されている。また、表示部１４の画面１０１に、地図において、北の方向（図５の例では、上側の方向）を示すマークと、地図の尺度を示すマーク（図５の例では、“５ｋｍ”の長さを示すマーク）が表示されている。
なお、これらの地図やマークの表示内容は、地図データ合成部１３により生成される。
【００７７】
また、表示部１４の画面１０１に、地図において、自己の端末の現在の位置の情報（現在位置情報）１２１と、自己のアカウントのアドレスの情報（アドレス情報）１２２が表示されている。
この例では、現在位置情報１２１として、地図における自己の端末の現在の位置に、自己の端末の進行方向を示す矢印が表示されている。また、この例では、アドレス情報１２２として、“＠Ａｂｃｄｅ”という自己のアカウントのアドレスが表示されている。
なお、現在位置情報１２１やアドレス情報１２２は、位置情報解析部１２により生成される。
【００７８】
また、表示部１４の画面１０１に、地図において、メニューボタン１１１と、送信ボタン１１２と、所定ボタン１１３が表示されている。なお、これらのボタン１１１〜１１３の配置は一例である。
メニューボタン１１１は、当該メニューボタン１１１がユーザにより押下されることで、メニューを表示させる指示を入力するためのボタンである。
送信ボタン１１２は、当該送信ボタン１１２がユーザにより押下されることで、送信を行う指示を入力するためのボタンである。
所定ボタン１１３は、当該所定ボタン１１３がユーザにより押下されることで、所定の処理を行う指示を入力するためのボタンである。本実施形態では、所定ボタン１１３に対応する処理の内容は、例えば、あらかじめ定められていてもよく、または、ユーザにより任意に設定や変更することが可能であってもよい。
【００７９】
なお、これらのボタン１１１〜１１３の情報は、例えば、情報通信端末（ナビ）１における位置情報解析部１２または地図データ合成部１３により生成される。
他の構成例として、情報通信端末（ナビ）１からサーバ３に対して図５に示されるような地図データを表示する旨を示すパラメータの情報を送信し、これに応じて、サーバ３における選択肢生成部５４が選択肢の情報としてボタン１１１〜１１３の情報を生成して情報通信端末（ナビ）１に送信してもよい。
【００８０】
また、図５の例では、表示部１４の画面１０１はタッチパネルの機能を有しており、ユーザは指で所望のボタン１１１〜１１３を押下することができる。
この例では、ユーザは指１３１で送信ボタン１１２を押下する。これに応じて、情報通信端末（ナビ）１では、パラメータ生成部１８が、ナビゲーションにおける現在の情報に関するパラメータの情報を生成して、ネットワークＩ／Ｆ１１を介してサーバ３に送信する。
本実施形態では、このようなパラメータの情報として、情報通信端末（ナビ）１の現在の位置、目的地の位置、目的地に到着する予想の時刻（目的地到着時刻）を含む情報を用いる。
【００８１】
そして、サーバ３では、パラメータ認識部５２が、ネットワークＩ／Ｆ５１を介して情報通信端末（ナビ）１から受信されたパラメータの情報を認識し、この認識結果に基づいて、文章生成部５３が、所定の文章の情報を生成して、生成した文章の情報をネットワークＩ／Ｆ５１を介して送信対象となる情報通信端末（フォロワー）２に対して送信する。
この情報通信端末（フォロワー）２では、ネットワークＩ／Ｆ３１を介してサーバ３から受信された文章の情報を表示部３４の画面に表示すること、または、ネットワークＩ／Ｆ３１を介してサーバ３から受信された文章の情報を文章認識部３７により認識して音声合成部３８により音声合成して音声出力部３９により音声出力すること、のうちの一方または両方を行う。
【００８２】
この例では、文章生成部５３は、文章の情報として、「今××だから  あと△△時間で○○に着くよ」という文章の情報を生成する。ここで、文章生成部５３は、「××」としては情報通信端末（ナビ）１の現在の位置（例えば、現在の位置の名称）を記述し、「△△」としては情報通信端末（ナビ）１の目的地到着時刻（例えば、現在の時刻から要する時間の長さ）を記述し、「○○」としては情報通信端末（ナビ）１の目的地の位置（例えば、目的地の位置の名称）を記述する。
【００８３】
また、サーバ３では、位置情報受信部５５が、ネットワークＩ／Ｆ５１を介して情報通信端末（ナビ）１から送信されたパラメータの情報（情報通信端末（ナビ）１のナビゲーションにおける現在の情報に関するパラメータの情報）を受信し、位置情報送信部５６が、その情報（または、それを加工した情報）をネットワークＩ／Ｆ５１を介して送信対象となる情報通信端末（フォロワー）２に対して送信する。
この情報通信端末（フォロワー）２では、位置情報解析部３２がネットワークＩ／Ｆ３１を介してサーバ３から受信された情報を解析して、地図データ合成部３３がその解析結果の情報を地図データに合成して表示用の地図データを生成し、表示部３４がその表示用の地図データを画面に表示することを行う。この解析結果の情報としては、例えば、情報通信端末（ナビ）１の現在の位置、目的地の位置、目的地に到着する予想の時刻（目的地到着時刻）を含む情報が得られる。
【００８４】
なお、例えば、情報通信端末（ナビ）１では、選択肢選択部１６が、送信ボタン１１２という選択肢（ボタン）がユーザにより選択されたことを通知するための情報を、ネットワークＩ／Ｆ１１を介してサーバ３に送信してもよく、そして、サーバ３では、パラメータ認識部５２が、ネットワークＩ／Ｆ５１を介して受信されたこの情報を認識して、この情報に対応する処理（本実施形態では、前記した文章生成部５３による処理）が行われるように制御してもよい。
【００８５】
図６は、本実施形態に係る情報通信端末（ナビ）１の表示部１４の画面１０２の表示の一例を示す図である。
この例では、表示部１４の画面１０２に、図５に示されるものと同様な、表示用の地図データの情報が表示されている。
この例では、ユーザは指１３２でメニューボタン１１１を押下する。これに応じて、情報通信端末（ナビ）１では、選択肢選択部１６が、メニューボタン１１１という選択肢（ボタン）がユーザにより選択されたことを検出する。そして、情報通信端末（ナビ）１では、図７に示されるように、表示部１４の画面１０３に、地図において、メニューボタン１１１の代わりに、図７に示されるようなボタン２０１〜２０４を表示する。
なお、これらのボタン２０１〜２０４の情報は、例えば、情報通信端末（ナビ）１における位置情報解析部１２または地図データ合成部１３により生成される。
【００８６】
他の構成例として、情報通信端末（ナビ）１における選択肢選択部１６が、メニューボタン１１１という選択肢（ボタン）がユーザにより選択されたことを通知するための情報を、ネットワークＩ／Ｆ１１を介してサーバ３に送信し、これに応じて、サーバ３における選択肢生成部５４が選択肢の情報としてボタン２０１〜２０４の情報を生成して情報通信端末（ナビ）１に送信してもよい。
このように、ナビゲーションにおける現在の情報（現在位置などの情報）以外の情報を情報処理端末（ナビ）１からサーバ３に送信することも可能である。
【００８７】
図７は、本実施形態に係る情報通信端末（ナビ）１の表示部１４の画面１０３の表示の一例を示す図である。
この例では、表示部１４の画面１０３に、図６に示される表示用の地図データと比べて、地図において、メニューボタン１１１が表示されずに、ステータスボタン２０１、インフォメーションボタン２０２、フリーワードボタン２０３、メニュー消去ボタン２０４が表示されている。つまり、表示部１４の画面１０２（図６）において、ユーザによりメニューボタン１１１が押下されると、メニューボタン１１１の表示が消えて、画面１０３（図７）のように４個のボタン２０１〜２０４が表示される。
【００８８】
ステータスボタン２０１は、当該ステータスボタン２０１がユーザにより押下されることで、ステータスに関するボタンを表示させる指示を入力するためのボタンである。
インフォメーションボタン２０２は、当該インフォメーションボタン２０２がユーザにより押下されることで、インフォメーションに関するボタンを表示させる指示を入力するためのボタンである。
【００８９】
フリーワードボタン２０３は、当該フリーワードボタン２０３がユーザにより押下されることで、ユーザによりフリーワード（例えば、文章）を入力するための指示を入力するためのボタンである。情報通信端末（ナビ）１では、フリーワードボタン２０３がユーザにより押下されると、例えば、ユーザによりフリーワードを入力するための枠などを表示部１４の画面に表示し、ユーザは入力部１５の操作部を操作することで、フリーワードを入力することができる。
なお、フリーワードを入力するための枠などの情報は、例えば、情報通信端末（ナビ）１における位置情報解析部１２または地図データ合成部１３により生成される。
【００９０】
メニュー消去ボタン２０４は、当該メニュー消去ボタン２０４がユーザにより押下されることで、４個のボタン２０１〜２０４を画面から消去するための指示を入力するためのボタンである。情報通信端末（ナビ）１では、メニュー消去ボタン２０４がユーザにより押下されると、図７に示されるような表示用の地図データを消去して、図６に示されるような表示用の地図データを表示する状態に戻る。
【００９１】
ここで、情報通信端末（ナビ）１では、選択肢選択部１６が、ステータスボタン２０１、インフォメーションボタン２０２、フリーワードボタン２０３、メニュー消去ボタン２０４というそれぞれの選択肢（ボタン）がユーザにより選択されたことを検出する。
【００９２】
図７の例では、ユーザは指１３３でステータスボタン２０１を押下する。これに応じて、情報通信端末（ナビ）１では、選択肢選択部１６が、ステータスボタン２０１という選択肢（ボタン）がユーザにより選択されたことを検出する。そして、情報通信端末（ナビ）１では、図８に示されるように、表示部１４の画面１０４に、地図において、図８に示されるようなボタン３０１〜３０５（および、場合に応じて、ボタン３１１、３１２）を表示する。
なお、これらのボタン３０１〜３０５、３１１、３１２の情報は、例えば、情報通信端末（ナビ）１における位置情報解析部１２または地図データ合成部１３により生成される。
【００９３】
他の構成例として、情報通信端末（ナビ）１における選択肢選択部１６が、ステータスボタン２０１という選択肢（ボタン）がユーザにより選択されたことを通知するための情報を、ネットワークＩ／Ｆ１１を介してサーバ３に送信し、これに応じて、サーバ３における選択肢生成部５４が選択肢の情報としてボタン３０１〜３０５（および、場合に応じて、ボタン３１１〜３１２）の情報を生成して情報通信端末（ナビ）１に送信してもよい。
このように、ナビゲーションにおける現在の情報（現在位置などの情報）以外の情報を情報処理端末（ナビ）１からサーバ３に送信することも可能である。
【００９４】
図８は、本実施形態に係る情報通信端末（ナビ）１の表示部１４の画面１０４の表示の一例を示す図である。
この例では、表示部１４の画面１０４に、図７に示される表示用の地図データと比べて、図８に示される地図において、ステータスボタン２０１の下方（または、他の箇所であってもよい）に、順調ボタン３０１、渋滞ボタン３０２、空腹ボタン３０３、疲労ボタン３０４、Ｗ．Ｃ．ボタン３０５が候補として表示されている。つまり、表示部１４の画面において、ユーザによりステータスボタン２０１が押下されると、ステータスに関するボタン３０１〜３０５が表示される。
また、この例では、表示部１４の画面１０４に、図７に示される表示用の地図データと比べて、地図において、送信ボタン１１２が表示されずに、了解ボタン１４１及び拒否ボタン１５１が表示されている。
【００９５】
また、この例では、ステータスに関するいずれかのボタン３０１〜３０５がユーザにより選択（例えば、押下、または、ポインタを重ねる、など）されると、表示部１４の画面１０４に、地図において、ユーザにより選択されたボタン３０１〜３０５について、公開ボタンおよび非公開ボタンが候補として表示される。図８の例では、表示部１４の画面１０４において、ユーザにより渋滞ボタン３０２が選択されており、渋滞ボタン３０２について、公開ボタン３１１および非公開ボタン３１２が表示されている。
【００９６】
順調ボタン３０１は、当該順調ボタン３０１がユーザにより押下されることで、順調に進行していることに関する指示を入力するためのボタンである。
渋滞ボタン３０２は、当該渋滞ボタン３０２がユーザにより押下されることで、渋滞に関する指示を入力するためのボタンである。
空腹ボタン３０３は、当該空腹ボタン３０３がユーザにより押下されることで、空腹に関する指示を入力するためのボタンである。
疲労ボタン３０４は、当該疲労ボタン３０４がユーザにより押下されることで、疲労に関する指示を入力するためのボタンである。
Ｗ．Ｃ．ボタン３０５は、当該Ｗ．Ｃ．ボタン３０５がユーザにより押下されることで、Ｗ．Ｃ．に関する指示を入力するためのボタンである。
【００９７】
公開ボタン（例えば、渋滞ボタン３０２に関しては、公開ボタン３１１）は、渋滞、空腹、疲労、Ｗ．Ｃ．といったそれぞれの項目（選択肢）について、当該公開ボタンがユーザにより押下されることで、自己の端末（情報通信端末（ナビ）１）が発する情報を公開とする指示を入力するためのボタンである。
本実施形態では、サーバ３における通信管理部５８は、情報通信端末（ナビ）１においてユーザにより公開ボタン（公開ボタンという選択肢）が選択されたことの通知を受信した場合には、当該情報通信端末（ナビ）１が発する情報の送信先を、あらかじめ定められた不特定の情報通信端末（フォロワー）２に設定する制御を行う。
【００９８】
非公開ボタン（例えば、渋滞ボタン３０２に関しては、非公開ボタン３１２）は、渋滞、空腹、疲労、Ｗ．Ｃ．といったそれぞれの項目（選択肢）について、当該非公開ボタンがユーザにより押下されることで、自己の端末（情報通信端末（ナビ）１）が発する情報を非公開とする指示を入力するためのボタンである。
本実施形態では、サーバ３における通信管理部５８は、情報通信端末（ナビ）１においてユーザにより非公開ボタン（非公開ボタンという選択肢）が選択されたことの通知を受信した場合には、当該情報通信端末（ナビ）１が発する情報の送信先を、あらかじめ定められた特定の情報通信端末（フォロワー）２に設定する制御を行う。
【００９９】
なお、それぞれの項目（選択肢）について、必ずしも、公開ボタンおよび非公開ボタンが設けられなくてもよく、例えば、送信対象とする情報通信端末（フォロワー）２が１通り（例えば、公開または非公開のうちのいずれかの１通り）に固定されて設定されている項目（選択肢）については、公開ボタンおよび非公開ボタンの表示や選択は不要である。
【０１００】
了解ボタン１４１は、当該了解ボタン１４１がユーザにより押下されることで、相手方装置、ここでは、情報通信端末（フォロワー）２からコメントや指示を受信したとき、そのコメントや指示に応じた処理を実行するための指示を入力するためのボタンである。
具体例として、情報通信端末（フォロワー）２から目的地やその経路を示す情報を受信したとき、了解ボタン１４１が押下されると、その位置を示す情報を地図データと合成して表示することや、その位置までの経路を表示することが指示される。
他の具体例として、情報端末装置（ナビ）１において、表示部１４の画面に、ユーザが了解するか否かを質問するような情報が表示される場合などに、ユーザにより了解ボタン１４１が押下されると、ユーザが了解しているという指示（確認）が入力される。
拒否ボタン１５１は、当該拒否ボタン１５１がユーザにより押下されることで、相手方装置、ここでは、情報通信端末（フォロワー）２からコメントや指示を受信したとき、そのコメントや指示を拒否もしくは無視するための指示を入力するためのボタンである。
具体例として、情報通信端末（フォロワー）２から目的地やその経路を示す情報を受信したとき、拒否ボタン１５１が押下されると、それらの情報は無視され、地図データを変更する処理は行われず、そのままの内容が維持される。上記の了解ボタン１４１と併用することで、ユーザは受信した情報に基づいて地図データを変更するか否かを選択することができる。
【０１０１】
この例では、ユーザは指１３４で渋滞ボタン３０２について非公開ボタン３１２を押下する。
また、図８の例では、ユーザは、順調ボタン３０１、渋滞ボタン３０２について公開ボタン３１１または非公開ボタン３１２、空腹ボタン３０３について公開ボタンまたは非公開ボタン、疲労ボタン３０４について公開ボタンまたは非公開ボタン、Ｗ．Ｃ．ボタン３０５について公開ボタンまたは非公開ボタンのうちのいずれかを押下することができる。
【０１０２】
このようにユーザによりいずれかのボタンが押下されると、これに応じて、情報通信端末（ナビ）１では、パラメータ生成部１８が、ナビゲーションにおける現在の情報に関するパラメータの情報を生成して、ネットワークＩ／Ｆ１１を介してサーバ３に送信する。
本実施形態では、このようなパラメータの情報として、情報通信端末（ナビ）１の現在の位置、目的地の位置、目的地に到着する予想の時刻（目的地到着時刻）を含む情報を用いる。
【０１０３】
また、情報通信端末（ナビ）１では、選択肢選択部１６が、それぞれの選択肢（ボタン）がユーザにより選択されたことを通知するための情報を、ネットワークＩ／Ｆ１１を介してサーバ３に送信し、そして、サーバ３では、パラメータ認識部５２が、ネットワークＩ／Ｆ５１を介して受信されたこの情報を認識して、この情報に対応する処理（本実施形態では、文章生成部５３による処理）が行われるように制御する。
【０１０４】
サーバ３では、パラメータ認識部５２が、ネットワークＩ／Ｆ５１を介して情報通信端末（ナビ）１から受信されたパラメータの情報を認識し、この認識結果に基づいて、文章生成部５３が、所定の文章の情報を生成して、生成した文章の情報をネットワークＩ／Ｆ５１を介して送信対象となる情報通信端末（フォロワー）２に対して送信する。ここで、送信対象となる情報通信端末（フォロワー）２は、情報端末装置（ナビ）１においてユーザにより公開ボタンが選択されたかまたは非公開ボタンが選択されたかに応じて、通信管理部５８により決定される。
なお、本実施形態では、順調ボタン３０１については、公開ボタンと非公開ボタンの区別が無く、通信管理部５８は常に非公開として通信相手を制御する。
【０１０５】
前記した送信対象となる情報通信端末（フォロワー）２では、ネットワークＩ／Ｆ３１を介してサーバ３から受信された文章の情報を表示部３４の画面に表示すること、または、ネットワークＩ／Ｆ３１を介してサーバ３から受信された文章の情報を文章認識部３７により認識して音声合成部３８により音声合成して音声出力部３９により音声出力すること、のうちの一方または両方を行う。
【０１０６】
ここで、本実施形態では、サーバ３において、パラメータ認識部５２が、ネットワークＩ／Ｆ５１を介して情報通信端末（ナビ）１から受信されたパラメータの情報およびユーザにより選択されたボタン（選択肢）の情報を認識し、この認識結果に基づいて、文章生成部５３が、所定の文章の情報を生成して、生成した文章の情報をネットワークＩ／Ｆ５１を介して送信対象となる情報通信端末（フォロワー）２に対して送信する、構成を示す。
他の構成例として、サーバ３において、パラメータ認識部５２が、ネットワークＩ／Ｆ５１を介して情報通信端末（ナビ）１から受信されたパラメータの情報およびユーザにより選択されたボタン（選択肢）の情報を認識し、この認識結果に基づいて、選択肢生成部５４が、所定の選択肢の情報を生成して、生成した選択肢の情報をネットワークＩ／Ｆ５１を介して送信対象となる情報通信端末（フォロワー）２に対して送信する、ことも可能である。
この場合、この送信対象となる情報通信端末（フォロワー）２では、例えば、ネットワークＩ／Ｆ３１を介してサーバ３から受信された選択肢の情報を表示部３４の画面に表示することを行う。
【０１０７】
図９は、本実施形態に係るステータスに関してパラメータおよび選択肢の組み合わせと文章との対応の一例を示す図である。
このような対応は、サーバ３における文章生成部５３のメモリに記憶される。文章生成部５３は、このような対応に基づいて、パラメータ認識部５２により認識されたパラメータおよび選択肢の組み合わせから、文章の情報を生成する。
本実施形態では、このようなパラメータの情報として、情報通信端末（ナビ）１の現在の位置、目的地の位置、目的地に到着する予想の時刻（目的地到着時刻）を含む情報のうちの１つ以上の情報を用いる。
また、本実施形態では、文章の情報を、サーバのつぶやき（定型文）の情報とみなしている。
【０１０８】
ステータスに関して、パラメータおよび選択肢の組み合わせと文章との対応の例を示す。
図９に示される例では、パラメータは、情報通信端末（ナビ）１の現在の位置が「××（ここでは、現在の位置の名称）」であり、目的地の位置が「○○（ここでは、目的地の位置の名称）」であり、目的地に到着する予想の時刻（目的地到着時刻）が「△△（ここでは、現在の時刻から要する時間）」であるとする。
【０１０９】
選択肢「順調」に、文章「今、××だからあと△△時間で○○に着くよ。」が対応付けられている。
選択肢「渋滞」かつ選択肢「公開」（不特定のフォロワー）に、文章「今、××だけど○○まで良い道無いですか？」が対応付けられている。
選択肢「渋滞」かつ選択肢「非公開」（特定のフォロワー）に、文章「今、××だけど○○まで良い道無いかな？」が対応付けられている。
選択肢「空腹」かつ選択肢「公開」（不特定のフォロワー）に、文章「今、××だけど良い店無いですか？」が対応付けられている。
選択肢「空腹」かつ選択肢「非公開」（特定のフォロワー）に、文章「今、××だけど良い店無いかな？」が対応付けられている。
【０１１０】
選択肢「疲労」かつ選択肢「公開」（不特定のフォロワー）に、文章「今、××だけど疲れたから休憩したい。」が対応付けられている。
選択肢「疲労」かつ選択肢「非公開」（特定のフォロワー）に、文章「今、××だけど疲れたから休憩したいよ〜。」が対応付けられている。
選択肢「Ｗ．Ｃ．」かつ選択肢「公開」（不特定のフォロワー）に、文章「今、××だけど近くにきれいなトイレ無いですか？」が対応付けられている。
選択肢「Ｗ．Ｃ．」かつ選択肢「非公開」（特定のフォロワー）に、文章「今、××だけど近くにきれいなトイレ無い？」が対応付けられている。
【０１１１】
また、図９には、選択肢「空腹」かつ選択肢「公開」（不特定のフォロワー）に対応した文章「今、××だけど良い店無いですか？」の情報がサーバ３から不特定の情報通信端末（フォロワー）２に送信された場合に、当該情報通信端末（フォロワー）２からの回答（応答）の一例を示してある。
【０１１２】
この例では、情報通信端末（フォロワー）２において、サーバ３から送信された情報通信端末（ナビ）１に関する情報がネットワークＩ／Ｆ３１を介して位置情報解析部３２に入力されて解析され、当該情報通信端末（ナビ）１の位置を含む表示用の地図データが地図データ合成部３３により生成されて、表示部３４の画面に表示される。また、この情報通信端末（フォロワー）２において、サーバ３から送信された文章の情報が、ネットワークＩ／Ｆ３１を介して入力され、文章認識部３７により認識され、音声合成部３８により音声合成され、音声出力部３９により音声出力される。
【０１１３】
この音声を聞いたユーザは、自己が推薦する店（ここでは、蕎麦屋）を送信元の情報通信端末（ナビ）１に通知する場合には、例えば、この情報通信端末（フォロワー）２における表示部３４の画面に表示された地図において、その店の位置を指示すること（ポイントマーキング）を行う。これにより、この情報通信端末（フォロワー）２において、パラメータ生成部４０が、その店の位置を含む情報をパラメータの情報として生成し、生成したパラメータの情報をネットワークＩ／Ｆ３１を介してサーバ３に対して送信する。
【０１１４】
これに応じて、サーバ３では、この情報通信端末（フォロワー）２から送信されたパラメータの情報がネットワークＩ／Ｆ５１を介してパラメータ認識部５２に入力されて認識され、文章生成部５３が認識されたパラメータの情報に対応して「ここに美味しい蕎麦屋があるよ。」という文章の情報を生成して送信元の情報通信端末（ナビ）１に送信する。また、サーバ３では、この情報通信端末（フォロワー）２から送信されたパラメータの情報（ここでは、特に、店の位置の情報）がネットワークＩ／Ｆ５１を介して位置情報受信部５５に入力されて、位置情報送信部５６がその情報を送信元の情報通信端末（ナビ）１に送信する。
【０１１５】
送信元の情報通信端末（ナビ）１では、サーバ３から送信された文章の情報が、ネットワークＩ／Ｆ１１を介して入力され、文章認識部１９により認識され、音声合成部２０により音声合成され、音声出力部２１により音声出力される。また、送信元の情報通信端末（ナビ）１では、サーバ３から送信された店の位置の情報が、ネットワークＩ／Ｆ１１を介して位置情報解析部１２に入力されて解析され、店の位置を示す情報を含む表示用の地図データが地図データ合成部１３により生成されて、表示部１４の画面に表示される。
また、位置情報解析部１２は、自機（情報通信端末（ナビ）１）の現在の位置からサーバ３から受信した店の位置までの経路を、地図データを用いて探索し、探索した経路を示す経路情報を生成する。
ここで、表示部１４の画面には了解ボタン１４１と拒否ボタン１５１が表示される。入力部１５が、了解ボタン１４１がユーザにより押下されたことを検知したとき、地図データ合成部１３は、経路情報を表示用の地図データに合成し、合成した表示用の地図データを、表示部１４の画面に表示される。これにより、受信した店の位置までの経路が表示されている地図に反映される。この処理をリルートと呼ぶ。これに対し、入力部１５が、拒否ボタン１５１がユーザにより押下されたことを検知したとき、地図データ合成部１３は、リルートを行なわない。そのため、地図に表示されている内容は更新されない。
【０１１６】
図１０は、本実施形態に係る情報通信端末（ナビ）１の表示部１４の画面１０５の表示の一例を示す図である。
この表示部１４の画面１０５の表示内容は、図７に示される表示部１４の画面１０３の表示内容と同様である。
図１０の例では、ユーザは指１３５でインフォメーションボタン２０２を押下する。これに応じて、情報通信端末（ナビ）１では、選択肢選択部１６が、インフォメーションボタン２０２という選択肢（ボタン）がユーザにより選択されたことを検出する。そして、情報通信端末（ナビ）１では、図１１に示されるように、表示部１４の画面１０６に、地図において、図１１に示されるようなボタン４０１〜４０４（および、場合に応じて、ボタン４１１〜４１２）を表示する。
なお、これらのボタン４０１〜４０４、４１１、４１２の情報は、例えば、情報通信端末（ナビ）１における位置情報解析部１２または地図データ合成部１３により生成される。
【０１１７】
他の構成例として、情報通信端末（ナビ）１における選択肢選択部１６が、インフォメーションボタン２０２という選択肢（ボタン）がユーザにより選択されたことを通知するための情報を、ネットワークＩ／Ｆ１１を介してサーバ３に送信し、これに応じて、サーバ３における選択肢生成部５４が選択肢の情報としてボタン４０１〜４０４（および、場合に応じて、ボタン４１１〜４１２）の情報を生成して情報通信端末（ナビ）１に送信してもよい。
このように、ナビゲーションにおける現在の情報（現在位置などの情報）以外の情報を情報処理端末（ナビ）１からサーバ３に送信することも可能である。
【０１１８】
図１１は、本実施形態に係る情報通信端末（ナビ）１の表示部１４の画面１０６の表示の一例を示す図である。
この例では、表示部１４の画面１０６に、図１０に示される表示用の地図データと比べて、地図において、インフォメーションボタン２０２の下方（または、他の箇所であってもよい）に、「△△△公園」ボタン４０１、「□□□の滝」ボタン４０２、「○○○醸造所」ボタン４０３、「道の駅☆☆☆」ボタン４０４が候補として表示されている。つまり、表示部１４の画面において、ユーザによりインフォメーションボタン２０２が押下されると、インフォメーションに関するボタン４０１〜４０４が表示される。
【０１１９】
また、この例では、「○○○醸造所」ボタン４０３がユーザにより選択（例えば、押下、または、ポインタを重ねる、など）されると、表示部１４の画面１０６に、地図において、ユーザにより選択されたボタン４０３について、より詳細な項目のボタン（選択肢）４１１、４１２が候補として表示される。図１１の例では、表示部１４の画面１０６において、ユーザにより「○○○醸造所」ボタン４０３が選択されており、「○○○醸造所」ボタン４０３について、「月夜の宴」ボタン４１１および「白兎の舞」ボタン４１２が表示されている。
【０１２０】
「△△△公園」ボタン４０１は、当該「△△△公園」ボタン４０１がユーザにより押下されることで、「△△△公園」に関する指示を入力するためのボタンである。
「□□□の滝」ボタン４０２は、当該「□□□の滝」ボタン４０２がユーザにより押下されることで、「□□□の滝」に関する指示を入力するためのボタンである。
「○○○醸造所」ボタン４０３は、当該「○○○醸造所」ボタン４０３がユーザにより押下されることで、「○○○醸造所」に関する指示を入力するためのボタンである。
「道の駅☆☆☆」ボタン４０４は、当該「道の駅☆☆☆」ボタン４０４がユーザにより押下されることで、「道の駅☆☆☆」に関する指示を入力するためのボタンである。
【０１２１】
「月夜の宴」ボタン４１１は、当該「月夜の宴」ボタン４１１がユーザにより押下されることで、「月夜の宴」に関する指示を入力するためのボタンである。
「白兎の舞」ボタン４１２は、当該「白兎の舞」ボタン４１２がユーザにより押下されることで、「白兎の舞」に関する指示を入力するためのボタンである。
【０１２２】
了解ボタン１４１は、当該了解ボタン１４１がユーザにより押下されることで、相手方装置、ここでは情報通信端末（ナビ）１からコメントや指示を受信したとき、そのコメントや指示に応じた処理を実行するための指示を入力するためのボタンである。但し、図１１では、了解ボタン１４１は、ユーザの手１３６で覆われているため表れていない。
拒否ボタン１５１は、当該拒否ボタン１５１がユーザにより押下されることで、相手方装置、ここでは、情報通信端末（フォロワー）２からコメントや指示を受信したとき、そのコメントや指示を拒否もしくは無視するための指示を入力するためのボタンである。
【０１２３】
この例では、ユーザは指１３５で「白兎の舞」ボタン４１２を押下する。
また、図１１の例では、ユーザは、「△△△公園」ボタン４０１、「□□□の滝」ボタン４０２、「○○○醸造所」ボタン４０３について「月夜の宴」ボタン４１１または「白兎の舞」ボタン４１２、「道の駅☆☆☆」ボタン４０４のうちのいずれかを押下することができる。
【０１２４】
このようにユーザによりいずれかのボタンが押下されると、これに応じて、情報通信端末（ナビ）１では、パラメータ生成部１８が、ナビゲーションにおける現在の情報に関するパラメータの情報を生成して、ネットワークＩ／Ｆ１１を介してサーバ３に送信する。
本実施形態では、このようなパラメータの情報として、情報通信端末（ナビ）１の現在の位置、目的地の位置、目的地に到着する予想の時刻（目的地到着時刻）を含む情報を用いる。
【０１２５】
また、情報通信端末（ナビ）１では、選択肢選択部１６が、それぞれの選択肢（ボタン）がユーザにより選択されたことを通知するための情報を、ネットワークＩ／Ｆ１１を介してサーバ３に送信し、そして、サーバ３では、パラメータ認識部５２が、ネットワークＩ／Ｆ５１を介して受信されたこの情報を認識して、この情報に対応する処理（本実施形態では、文章生成部５３による処理）が行われるように制御する。
【０１２６】
前記した送信対象となる情報通信端末（フォロワー）２では、ネットワークＩ／Ｆ３１を介してサーバ３から受信された文章の情報を表示部３４の画面に表示すること、または、ネットワークＩ／Ｆ３１を介してサーバ３から受信された文章の情報を文章認識部３７により認識して音声合成部３８により音声合成して音声出力部３９により音声出力すること、のうちの一方または両方を行う。
【０１２７】
ここで、本実施形態では、サーバ３において、パラメータ認識部５２が、ネットワークＩ／Ｆ５１を介して情報通信端末（ナビ）１から受信されたパラメータとみなす情報（ここでは、ユーザにより選択されたボタン（選択肢）の情報）を認識し、この認識結果に基づいて、文章生成部５３が、所定の文章の情報を生成して、生成した文章の情報をネットワークＩ／Ｆ５１を介して送信対象となる情報通信端末（フォロワー）２に対して送信する、構成を示す。
他の構成例として、サーバ３において、パラメータ認識部５２が、ネットワークＩ／Ｆ５１を介して情報通信端末（ナビ）１から受信されたパラメータとみなす情報（ここでは、ユーザにより選択されたボタン（選択肢）の情報）を認識し、この認識結果に基づいて、選択肢生成部５４が、所定の選択肢の情報を生成して、生成した選択肢の情報をネットワークＩ／Ｆ５１を介して送信対象となる情報通信端末（フォロワー）２に対して送信する、ことも可能である。
この場合、この送信対象となる情報通信端末（フォロワー）２では、例えば、ネットワークＩ／Ｆ３１を介してサーバ３から受信された選択肢の情報を表示部３４の画面に表示することを行う。
【０１２８】
図１２は、本実施形態に係る選択肢と文章との対応の一例を示す図である。
このような対応は、サーバ３における文章生成部５３のメモリに記憶される。文章生成部５３は、このような対応に基づいて、パラメータ認識部５２により認識された選択肢から、文章の情報を生成する。
本実施形態では、文章の情報を、サーバのつぶやきの情報とみなしている。また、この文章の情報としては、例えば、情報検索部５７が該当する選択肢（パラメータ認識部５２により認識された選択肢）をキーワードとして検索することなどにより、ツイッターなどの情報の中から既に収集された情報を利用している。
【０１２９】
インフォメーションに関して、選択肢と文章との対応の例を示す。
選択肢「△△△公園」に、文章「そこの公園には子供向けの遊具がある。」が対応付けられている。
選択肢「□□□の滝」に、文章「そこの滝は−イオンがたくさん出てる。」が対応付けられている。
選択肢「○○○醸造所」における選択肢「月夜の宴」に、文章「辛口のスッキリしたお酒だよ。」が対応付けられている。
選択肢「○○○醸造所」における選択肢「白兎の舞」に、文章「純米吟醸で呑み易いお酒だよ。」が対応付けられている。
選択肢「道の駅☆☆☆」に、文章「ソフトクリームが絶品だよ。」が対応付けられている。
【０１３０】
また、図１２には、選択肢「○○○醸造所」における選択肢「月夜の宴」に対応した文章「辛口のスッキリしたお酒だよ。」の情報がサーバ３から送信対象となる情報通信端末（フォロワー）２に送信された場合に、当該情報通信端末（フォロワー）２からの回答（応答）の一例を示してある。
【０１３１】
この例では、情報通信端末（フォロワー）２において、サーバ３から送信された情報通信端末（ナビ）１に関する情報がネットワークＩ／Ｆ３１を介して位置情報解析部３２に入力されて解析され、当該情報通信端末（ナビ）１の位置を含む表示用の地図データが地図データ合成部３３により生成されて、表示部３４の画面に表示される。また、この情報通信端末（フォロワー）２において、サーバ３から送信された文章の情報が、ネットワークＩ／Ｆ３１を介して入力され、文章認識部３７により認識され、音声合成部３８により音声合成され、音声出力部３９により音声出力される。
【０１３２】
この音声を聞いたユーザは、所定のメッセージを送信元の情報通信端末（ナビ）１に通知する場合には、例えば、この情報通信端末（フォロワー）２において、入力部３５の操作部を操作して、所定のメッセージ（本実施形態では、「一本買ってきて。」または「二本買ってきて。」という文章の情報）を入力する。これにより、この情報通信端末（フォロワー）２において、パラメータ生成部４０が、そのメッセージを含む情報をパラメータの情報として生成し、生成したパラメータの情報をネットワークＩ／Ｆ３１を介してサーバ３に対して送信する。
【０１３３】
これに応じて、サーバ３では、この情報通信端末（フォロワー）２から送信されたパラメータの情報がネットワークＩ／Ｆ５１を介してパラメータ認識部５２に入力されて認識され、文章生成部５３が認識されたパラメータの情報に対応して「一本買ってきて。」または「二本買ってきて。」という文章の情報を生成して送信元の情報通信端末（ナビ）１に送信する。
送信元の情報通信端末（ナビ）１では、サーバ３から送信された文章の情報が、ネットワークＩ／Ｆ１１を介して入力され、文章認識部１９により認識され、音声合成部２０により音声合成され、音声出力部２１により音声出力される。
【０１３４】
ここで、本実施形態では、情報通信端末（フォロワー）２において、ユーザが、入力部３５の操作部を操作して、所定のメッセージ（本実施形態では、「一本買ってきて。」または「二本買ってきて。」という文章の情報）を入力する構成としたが、他の構成例として、サーバ３において、パラメータ認識部５２が、ネットワークＩ／Ｆ５１を介して情報通信端末（ナビ）１から受信されたパラメータとみなす情報（ここでは、ユーザにより選択されたボタン（選択肢）の情報）を認識し、この認識結果に基づいて、選択肢生成部５４が、所定の選択肢の情報（ここでは、「一本買ってきて。」または「二本買ってきて。」という選択肢の情報）を生成して、生成した選択肢の情報をネットワークＩ／Ｆ５１を介して送信対象となる情報通信端末（フォロワー）２に対して送信する、ことも可能である。この場合、情報通信端末（フォロワー）２では、ユーザが入力部３５の操作部を操作することにより任意の選択肢を選択し、選択肢選択部３６が選択された選択肢を認識する。
ここで、表示部３４の画面には了解ボタン１４１及び拒否ボタン１５１が表示される。入力部３５が、了解ボタン１４１がユーザにより押下されたことを検知したとき、選択肢選択部３６は、認識した選択肢の情報を情報通信端末（ナビ）１に送信する（意思表示［応答］）。情報通信端末（ナビ）１では、情報通信端末（フォロワー）２から受信した選択肢の情報を表示部１４の画面に表示させるか、受信した選択肢の情報を文章認識部１９で認識し音声合成部２０により音声合成を行い音声出力部２１により音声出力するか、もしくはその両方を行う。
他方、入力部３５が、拒否ボタン１５１がユーザにより押下されたことを検知したとき、選択肢選択部３６は認識した選択肢の情報の送信を行わない。ひいては、情報通信端末（ナビ）１では、情報通信端末（フォロワー）２から受信した選択肢の情報についての画面表示、音声出力は行なわれない。
【０１３５】
［第１実施形態］
図１３〜図１５を参照して、本実施形態に係る通信システムにおいて行われる処理の一例を示す。
なお、図１３および図１４では、情報通信端末（ナビ）１の表示部１４の画面の表示内容や、情報通信端末（フォロワー）２の表示部３４の画面の表示内容に関し、細かい部分については図５〜図１２を参照して説明したのと同様であり、本実施形態における説明とは無関係な一部の図示や説明を省略する。
【０１３６】
図１３は、本実施形態に係る通信システムにおいて行われる処理の様子の一例を示す図である。
この例では、情報通信端末（ナビ）１を持った人（ユーザ）が、特定の情報通信端末（フォロワー）２を持った家族や特定の友人などの人（ユーザ）に、現在の位置や目的地到着時刻を伝える。
【０１３７】
具体的には、情報通信端末（ナビ）１における表示部１４の画面１００１に、表示用の地図データが表示される。
本実施形態では、表示部１４の画面１００１に地図において表示される所定ボタン１０１１に、情報通信端末（ナビ）１の現在の位置（本実施形態では、現在の位置の名称「××」）、目的地の位置（本実施形態では、目的地の位置の名称「○○」）、目的地到着時刻（本実施形態では、現在の時刻から要する時間「△△」）を含む情報をパラメータの情報として送信するボタンの機能が設定されている。また、画面１００１には、送信ボタン１１２が表示される。
【０１３８】
情報通信端末（ナビ）１において、ユーザが送信ボタン１１２を押下すると、パラメータ生成部１８が、前記したパラメータの情報を生成して、サーバ３に送信する。また、情報通信端末（ナビ）１において、ユーザは、入力部１５の操作部を操作して、送信を希望する文章の情報「今、××だからあと△△時間で○○に着くよ。」を入力（例えば、キー入力）する。
【０１３９】
サーバ３では、パラメータ認識部５２が情報通信端末（ナビ）１から受信された文章の情報をパラメータの情報として認識して、文章生成部５３が当該パラメータの情報に応じて「今、××だからあと△△時間で○○に着くよ。」という文章の情報を生成して（ここでは、例えば、受信された文章の情報をそのまま使用して）、送信対象となる情報通信端末（フォロワー）２に送信する。また、サーバ３では、位置情報受信部５５が情報通信端末（ナビ）１から送信されたパラメータの情報（ここでは、特に、位置の情報）を受信して、位置情報送信部５６がそのパラメータの情報を送信対象となる情報通信端末（フォロワー）２に送信する。ここで、送信対象となる情報通信端末（フォロワー）２は、サーバ３における通信管理部５８により決定される。
【０１４０】
情報通信端末（フォロワー）２は、例えば、テレビジョン受像機として構成されている。ユーザは、情報通信端末（フォロワー）２の入力部３５の操作部を操作することで、表示部３４の画面の表示内容（例えば、テレビのチャンネル）を切り換えることができ、ここでは、サーバ３から受信される情報に基づく表示を行う画面２００１に切り換える。
なお、他の構成例として、情報通信端末（フォロワー）２において、位置情報解析部３２が、サーバ３から送信された情報を受けたこと（例えば、新たな情報を受けたこと）に応じて、表示部３４の画面の表示内容（例えば、テレビのチャンネル）を、サーバ３から受信される情報に基づく表示を行う画面２００１に切り換える構成を用いることもできる。
【０１４１】
情報通信端末（フォロワー）２では、位置情報解析部３２がサーバ３から受信されたパラメータの情報を解析して、地図データ合成部３３が表示用の地図データを生成して、表示部３４の画面２００１に当該表示用の地図データを表示する。この地図において、現在位置情報２０１１やアドレス情報２０１２が表示される。
また、情報通信端末（フォロワー）２では、文章認識部３７がサーバ３から受信された文章の情報を認識して、音声合成部３８が音声合成して、音声出力部３９が音声出力するか、受信した文章の情報を表示部３４の画面に表示させるか、もしくはその両方を行う。
【０１４２】
情報通信端末（フォロワー）２において、ユーザは、例えば（なるほど、今××か  あと△△時間くらいか）と思い、入力部３５の操作部を操作して、「了解」という内容に対応する操作を行う。この例では、操作部に「了解」という内容に対応するボタンがあり、ユーザはこのボタンを押下することで、「了解」という内容に対応する操作を行う。これに応じて、情報通信端末（フォロワー）２では、パラメータ生成部４０が、「了解」という内容に対応する情報を生成して、サーバ３に送信する。
【０１４３】
なお、情報通信端末（フォロワー）２において、入力部３５の操作部に、例えば、「安全運転でゆっくり帰れ」あるいは「もっと早く帰れ」などの様々な内容に対応するボタンが用意されて、ユーザにより押下されたボタンに対応する内容を受け付ける構成を用いることもできる。この場合、ユーザは、所望のボタンを押下するというワンプッシュの操作を行うだけで、所望の回答をすることができる。
【０１４４】
サーバ３では、パラメータ認識部５２が情報通信端末（フォロワー）２から受信された「了解」という内容に対応する情報をパラメータの情報として認識して、文章生成部５３や選択肢生成部５４が「了解」という内容に対応する情報を生成して、送信元の情報通信端末（ナビ）１に送信する。
情報通信端末（ナビ）１では、サーバ３から受信された情報に応じた処理（例えば、画面表示や音声出力）を行う。
【０１４５】
図１４は、本実施形態に係る通信システムにおいて行われる処理の様子の変形例を示す図である。
ここでは、図１３に示される場合とは異なる点を説明する。
情報通信端末（ナビ）１における表示部１４の画面１００３に、表示用の地図データが表示される。情報通信端末（ナビ）１において、パラメータの情報である３個の情報の状態が明確である時に、ユーザにより所定ボタン１０１１が押下されると、パラメータ生成部１８が、パラメータの情報を生成して、サーバ３に送信する。
ここで、本実施形態では、前記したパラメータの情報である３個の情報としては、情報通信端末（ナビ）１の現在の位置（本実施形態では、現在の位置（場所）の名称「××」）、目的地の位置（本実施形態では、目的地の位置の名称「○○」）、目的地到着時刻（本実施形態では、現在の時刻から要する時間「△△」を用いる。
【０１４６】
サーバ３では、パラメータ認識部５２が情報通信端末（ナビ）１から受信されたパラメータの情報を認識して、文章生成部５３が当該パラメータの情報に応じて「今、××だからあと△△時間で○○に着くよ。」という文章の情報を生成して送信対象となる情報通信端末（フォロワー）２に送信する。また、サーバ３では、パラメータ認識部５２が情報通信端末（ナビ）１から受信されたパラメータの情報を認識して、選択肢生成部５４が当該パラメータの情報に応じて「了解」という選択肢の情報を生成して送信対象となる情報通信端末（フォロワー）２に送信する。
【０１４７】
情報通信端末（フォロワー）２では、位置情報解析部３２がサーバ３から受信されたパラメータの情報（ここでは、選択肢の情報を含む）を解析して、地図データ合成部３３が表示用の地図データを生成して、表示部３４の画面２００２に当該表示用の地図データを表示する。この地図において、現在位置情報２０２１やアドレス情報２０２２が表示され、また、選択肢として「了解」というボタン（了解ボタン）２０５１が表示される。情報通信端末（フォロワー）２において、ユーザは、入力部３５の操作部を操作して、了解ボタン２０５１を押下することで、その指示を入力することができる。
【０１４８】
このように、図１４の例では、サーバ３では、情報通信端末（ナビ）１から出力される情報を元に文章を構成し、相手側（情報通信端末（フォロワー）２）に当該文章を伝えることを行い、これにより、情報通信端末（ナビ）１の所持者（ユーザ）による無駄な操作を防ぎ、操作の容易さを確保することができる。また、図１４の例では、相手側（情報通信端末（フォロワー）２）においても、ユーザがワンプッシュで回答することができるように、画面２００２に回答例（この例では、了解ボタン２０５１）を表示する。
【０１４９】
図１５は、本実施形態に係る通信システムにおいて行われる処理の流れの一例を示す図である。この例は、図１４に示される場合に対応している。
情報通信端末（ナビ）１では、ユーザが所定ボタン１０１１を押し下げると、パラメータ生成部１８が送信するパラメータの情報を生成（例えば、抽出）して（処理Ｔ１）、サーバ３に送信する（処理Ｔ２）。
サーバ３では、パラメータ認識部５２が情報通信端末（ナビ）１から送信されたパラメータの情報を認識（例えば、解析）して、文章生成部５３が文章化して（処理Ｔ３）、送信対象となる情報通信端末（フォロワー）２に送信する（処理Ｔ４）。また、サーバ３では、位置情報受信部５５が情報通信端末（ナビ）１から送信されたパラメータの情報（ここでは、特に、位置の情報）を受信し、位置情報送信部５６がそのパラメータの情報を送信対象となる情報通信端末（フォロワー）２に送信する（処理Ｔ４）。
【０１５０】
この情報通信端末（フォロワー）２では、サーバ３から受信された情報に基づいて、位置情報解析部３２、地図データ合成部３３および表示部３４により表示用の地図データを表示し、その地図において、回答ボタン（ここでは、了解ボタン２０５１）を表示する。また、この情報通信端末（フォロワー）２では、サーバ３から受信された文章の情報に基づいて、文章認識部３７、音声合成部３８および音声出力部３９により当該文章を読み上げる。この情報通信端末（フォロワー）２では、ユーザが回答ボタン（了解ボタン２０５１）を押下すると（処理Ｔ５）、パラメータ生成部４０がその回答の情報をサーバ３に送信する（処理Ｔ６）。
【０１５１】
サーバ３では、パラメータ認識部５２が情報通信端末（フォロワー）２から受信された回答の情報の内容を認識（例えば、解析）し、文章生成部５３がその内容を文章化して（処理Ｔ７）、その文章の情報（その回答の内容に対応する情報）を送信元の情報通信端末（ナビ）１に送信する（処理Ｔ８）。
情報通信端末（ナビ）１では、サーバ３から受信された文章の情報に基づいて、文章認識部１９、音声合成部２０および音声出力部２１により、その文章（回答の内容に対応する文章）を読み上げる（処理Ｔ９）。また、情報通信端末（ナビ）１は、音声合成部２０および音声出力部２１による読み上げの代わりに、もしくは読み上げとともに受信された文章の情報を表示部１４の画面に表示してもよい。
【０１５２】
［第２実施形態］
図１６を参照して、本実施形態に係る通信システムにおいて行われる処理の一例を示す。
なお、図１６では、情報通信端末（ナビ）１の表示部１４の画面の表示内容や、情報通信端末（フォロワー）２の表示部３４の画面の表示内容に関し、細かい部分については図５〜図１２を参照して説明したのと同様であり、本実施形態における説明とは無関係な一部の図示や説明を省略する。
【０１５３】
図１６は、本実施形態に係る通信システムにおいて行われる処理の様子の一例を示す図である。
ここでは、図１３に示される場合とは異なる点を説明する。
情報通信端末（フォロワー）２において、ユーザは、例えば（なるほど、今××か  お酒がおいしいな！）と思い、入力部３５の操作部を操作して、「××でお酒を買ってきて！」という文章の情報を入力する。これに応じて、情報通信端末（フォロワー）２では、パラメータ生成部４０が、その文章の情報を生成して、サーバ３に送信する。
サーバ３では、パラメータ認識部５２が情報通信端末（フォロワー）２から受信された文章の情報をパラメータの情報として認識して、文章生成部５３が当該パラメータの情報に応じて「××でお酒を買ってきて！」という文章の情報を生成して（ここでは、例えば、受信された文章の情報をそのまま使用して）、送信元の情報通信端末（ナビ）１に送信する。
【０１５４】
［第３実施形態］
図１７〜図１８を参照して、本実施形態に係る通信システムにおいて行われる処理の一例を示す。
なお、図１７では、情報通信端末（ナビ）１の表示部１４の画面の表示内容や、情報通信端末（フォロワー）２の表示部３４の画面の表示内容に関し、細かい部分については図５〜図１２を参照して説明したのと同様であり、本実施形態における説明とは無関係な一部の図示や説明を省略する。
【０１５５】
図１７は、本実施形態に係る通信システムにおいて行われる処理の様子の一例を示す図である。
この例では、情報通信端末（ナビ）１を持った人（ユーザ）が、不特定の情報通信端末（フォロワー）２を持った地元の人（ユーザ）に、現在の位置や目的地到着時刻を伝える。
【０１５６】
具体的には、情報通信端末（ナビ）１における表示部１４の画面１２０１に、表示用の地図データが表示される。この地図において、この情報通信端末（ナビ）１に関する現在位置情報１２２１およびアドレス情報１２２２や、送信ボタン１１２が表示される。
本実施形態では、表示部１４の画面１２０１に地図において表示される送信ボタン１１２に、情報通信端末（ナビ）１の現在の位置（本実施形態では、現在の位置の名称「××」）、目的地の位置（本実施形態では、目的地の位置の名称「○○」）、目的地到着時刻（本実施形態では、現在の時刻から要する時間「○○」であり、例えば、「２時間」）を含む情報をパラメータの情報として送信するボタンの機能が設定されており、この例では、図９に示されるような渋滞に関する公開（不特定のフォロワー）の機能が設定されている。
【０１５７】
情報通信端末（ナビ）１において、ユーザが送信ボタン１１２を押下すると、パラメータ生成部１８が、前記したパラメータの情報を生成して、サーバ３に送信する。
サーバ３では、パラメータ認識部５２が情報通信端末（ナビ）１から受信されたパラメータの情報を認識して、文章生成部５３が当該パラメータの情報に応じて「今、××だけど○○まで良い道無いですか？」という文章の情報を生成して、送信対象となる情報通信端末（フォロワー）２に送信する。また、サーバ３では、位置情報受信部５５が情報通信端末（ナビ）１から送信されたパラメータの情報（ここでは、特に、位置の情報）を受信して、位置情報送信部５６がそのパラメータの情報を送信対象となる情報通信端末（フォロワー）２に送信する。
【０１５８】
ここで、送信対象となる情報通信端末（フォロワー）２は、サーバ３における通信管理部５８により決定される。
本実施形態では、サーバ３における通信管理部５８は、送信対象となる情報通信端末（フォロワー）２として、送信元の情報通信端末（ナビ）１の現在の位置を含むあらかじめ定められた領域（地元）内に存在する不特定の情報通信端末（フォロワー）２を決定する。
【０１５９】
情報通信端末（フォロワー）２では、位置情報解析部３２がサーバ３から受信されたパラメータの情報を解析して、地図データ合成部３３が表示用の地図データを生成して、表示部３４の画面２２０１に当該表示用の地図データを表示する。この地図において、現在位置情報２２１１、２２２１やアドレス情報２２１２、２２２２が表示される。この例では、複数（この例では、２個）の異なる情報通信端末（ナビ）１について、現在位置情報（第１の情報通信端末（ナビ）の現在位置情報２２１１および第２の情報通信端末（ナビ）の現在位置情報２２２１）やアドレス情報（第１の情報通信端末（ナビ）のアドレス情報２２１２および第２の情報通信端末（ナビ）のアドレス情報２２２２）が表示されている。
また、情報通信端末（フォロワー）２では、文章認識部３７がサーバ３から受信された文章の情報を認識し、音声合成部３８が音声合成し音声出力部３９が音声出力するか、受信した文章の情報を表示部３４の画面に表示させるか、もしくは、その両方を行う。
【０１６０】
情報通信端末（フォロワー）２において、ユーザは、例えば（××だったら他に良い経路があるよ）と思い、入力部３５の操作部を操作して、表示部３４の画面２２０２に、自己が推薦する経路の情報（経路情報）２２５１を入力する。この例では、ユーザは、タッチパネルまたはタッチペンの機能を有する画面２２０２をなぞることで、経路（なぞった線）の情報２２５１を入力する。これに応じて、情報通信端末（フォロワー）２では、パラメータ生成部４０が、その経路情報を生成して、サーバ３に送信する。
【０１６１】
サーバ３では、位置情報受信部５５が情報通信端末（フォロワー）２から送信された経路情報を位置に関する情報として受信し、位置情報送信部５６がその経路情報を送信元の情報通信端末（ナビ）１に送信する。
情報通信端末（ナビ）１では、位置情報解析部１２がサーバ３から受信された経路情報をナビゲーションの機能において設定する。具体的には、情報通信端末（ナビ）１では、位置情報解析部１２がその経路情報に対応する経路を使用する場合における目的地到着時刻（本実施形態では、現在の時刻から要する時間「○○」であり、例えば、「１時間３０分」）を計算する。ここで、表示部１４の画面には了解ボタン１４１と拒否ボタン１５１が表示される。入力部１５が、了解ボタン１４１がユーザにより押下されたことを検知したとき、位置情報解析部１２は、表示部１４の画面１２０２に表示または音声出力する。また、情報通信端末（ナビ）１では、表示部１４の画面１２０２に、その経路の情報（経路情報）１２５１を地図データに合成して表示する。入力部１５が、拒否ボタン１５１がユーザにより押下されたことを検知したとき、位置情報解析部１２は、画面表示、音声出力及び経路情報の表示も行なわない。
【０１６２】
図１８は、本実施形態に係る通信システムにおいて行われる処理の流れの一例を示す図である。
情報通信端末（ナビ）１では、ユーザが送信ボタン１１２を押し下げると、パラメータ生成部１８が送信するパラメータの情報を生成（例えば、抽出）して（処理Ｔ２１）、サーバ３に送信する（処理Ｔ２２）。
サーバ３では、パラメータ認識部５２が情報通信端末（ナビ）１から送信されたパラメータの情報を認識（例えば、解析）して、文章生成部５３が文章化して（処理Ｔ２３）、送信対象となる情報通信端末（フォロワー）２に送信する（処理Ｔ２４）。また、サーバ３では、位置情報受信部５５が情報通信端末（ナビ）１から送信されたパラメータの情報（ここでは、特に、位置の情報）を受信し、位置情報送信部５６がそのパラメータの情報を送信対象となる情報通信端末（フォロワー）２に送信する（処理Ｔ２４）。
【０１６３】
この情報通信端末（フォロワー）２では、サーバ３から受信された情報に基づいて、位置情報解析部３２、地図データ合成部３３および表示部３４により表示用の地図データを表示する。また、この情報通信端末（フォロワー）２では、サーバ３から受信された文章の情報に基づいて、文章認識部３７、音声合成部３８および音声出力部３９により当該文章を読み上げる。この情報通信端末（フォロワー）２では、ユーザが経路情報２２５１を入力すると（処理Ｔ２５）、パラメータ生成部４０がその回答の情報（この例では、経路情報）をサーバ３に送信する（処理Ｔ２６）。
【０１６４】
サーバ３では、位置情報受信部５５が情報通信端末（フォロワー）２から送信された回答の情報（この例では、経路情報）を受信してその回答の内容を解析し（処理Ｔ２７）、位置情報送信部５６がその回答の内容の情報（この例では、経路情報）を送信元の情報通信端末（ナビ）１に送信する（処理Ｔ２８）。
情報通信端末（ナビ）１では、サーバ３から受信された回答の情報（この例では、経路情報）に基づいて、了解ボタン１４１が押下されたことを検知して、位置情報解析部１２がその回答の情報（この例では、経路情報）に対応する経路を設定し、地図データ合成部１３および表示部１４によりその経路の情報（経路情報）１２５１を画面１２０２に表示する（処理Ｔ２９）。なお、拒否ボタン１５１が押下されたことが検知された場合には、経路の設定も、経路情報の画面表示もなされない。
【０１６５】
このように、ユーザが情報通信端末（ナビ）１の現在の位置やナビゲーションの経路などの情報を、サーバ３を介して、当該情報通信端末（ナビ）１の現在の位置の付近（地元）に存在する不特定の情報通信端末（フォロワー）２に公開して、これら不特定の情報通信端末（フォロワー）２のユーザから、地元の人間しか知らないような抜け道（より効率的な経路）の情報を、サーバ３を介して、指示してもらう（受信する）ことができる。これにより、情報通信端末（ナビ）１のユーザは、渋滞に遭遇した時などに、地元の人間から抜け道を指示してもらって、渋滞を回避することなどができる。
【０１６６】
［第４実施形態］
図１９〜図２０を参照して、本実施形態に係る通信システムにおいて行われる処理の一例を示す。
なお、図１９では、情報通信端末（ナビ）１の表示部１４の画面の表示内容や、情報通信端末（フォロワー）２の表示部３４の画面の表示内容に関し、細かい部分については図５〜図１２を参照して説明したのと同様であり、本実施形態における説明とは無関係な一部の図示や説明を省略する。
【０１６７】
図１９は、本実施形態に係る通信システムにおいて行われる処理の様子の一例を示す図である。
この例では、情報通信端末（ナビ）１を持った人（ユーザ）が、不特定の情報通信端末（フォロワー）２を持った地元の人（ユーザ）に、現在の位置や目的地到着時刻を伝える。
【０１６８】
具体的には、情報通信端末（ナビ）１における表示部１４の画面１３０１に、表示用の地図データが表示される。この地図において、この情報通信端末（ナビ）１に関する現在位置情報１３２１およびアドレス情報１３２２や、送信ボタン１１２が表示される。
本実施形態では、表示部１４の画面１３０１に地図において表示される送信ボタン１１２に、情報通信端末（ナビ）１の現在の位置（本実施形態では、現在の位置の名称「××」）、目的地の位置（本実施形態では、目的地の位置の名称「○○」）、目的地到着時刻（本実施形態では、現在の時刻から要する時間「○○」であり、例えば、「２時間」）、ユーザの状態（例えば、「空腹」）を含む情報をパラメータの情報として送信するボタンの機能が設定されており、この例では、図９に示されるような空腹に関する公開（不特定のフォロワー）の機能が設定されている。
【０１６９】
情報通信端末（ナビ）１において、ユーザが送信ボタン１１２を押下すると、パラメータ生成部１８が、前記したパラメータの情報を生成して、サーバ３に送信する。なお、「空腹に関する公開」を指定する情報は、例えば、情報通信端末（ナビ）１における選択肢選択部１６により生成されてサーバ３に送信されてもよい。
【０１７０】
サーバ３では、パラメータ認識部５２が情報通信端末（ナビ）１から受信されたパラメータの情報（例えば、選択肢の情報が含まれてもよい）を認識して、文章生成部５３が当該パラメータの情報に応じて「今、××だけど良い店無いですか？」という文章の情報を生成して、送信対象となる情報通信端末（フォロワー）２に送信する。また、サーバ３では、位置情報受信部５５が情報通信端末（ナビ）１から送信されたパラメータの情報（ここでは、特に、位置の情報）を受信して、位置情報送信部５６がそのパラメータの情報を送信対象となる情報通信端末（フォロワー）２に送信する。
【０１７１】
ここで、送信対象となる情報通信端末（フォロワー）２は、サーバ３における通信管理部５８により決定される。
本実施形態では、サーバ３における通信管理部５８は、送信対象となる情報通信端末（フォロワー）２として、送信元の情報通信端末（ナビ）１の現在の位置を含むあらかじめ定められた領域（地元）内に存在する不特定の情報通信端末（フォロワー）２を決定する。
【０１７２】
情報通信端末（フォロワー）２では、位置情報解析部３２がサーバ３から受信されたパラメータの情報を解析して、地図データ合成部３３が表示用の地図データを生成して、表示部３４の画面２３０１に当該表示用の地図データを表示する。この地図において、現在位置情報２３１１、２３２１やアドレス情報２３１２、２３２２が表示される。この例では、複数（この例では、２個）の異なる情報通信端末（ナビ）１について、現在位置情報（第１の情報通信端末（ナビ）の現在位置情報２３１１および第２の情報通信端末（ナビ）の現在位置情報２３２１）やアドレス情報（第１の情報通信端末（ナビ）のアドレス情報２３１２および第２の情報通信端末（ナビ）のアドレス情報２３２２）が表示されている。
また、情報通信端末（フォロワー）２では、文章認識部３７がサーバ３から受信された文章の情報を認識して、音声合成部３８が音声合成して音声出力部３９が音声出力するか、受信した文章の情報を表示部３４の画面に表示させるか、もしくは、その両方を行う。
【０１７３】
情報通信端末（フォロワー）２において、ユーザは、例えば（××だったら良い蕎麦屋があるよ）と思い、入力部３５の操作部を操作して、表示部３４の画面２３０２に、自己が推薦する店（この例では、蕎麦屋）の位置の情報（目的地情報）２３５１を入力する。この例では、ユーザは、タッチパネルまたはタッチペンの機能を有する画面２３０２にタッチする（触れる）ことで、目的地（タッチした点）の情報２３５１を入力する。これに応じて、情報通信端末（フォロワー）２では、パラメータ生成部４０が、その目的地情報を生成して、サーバ３に送信する。
ここで、図１９に示される例では、目的地情報２３５１として目的地の点の情報を示す際に、送信元の情報通信端末（ナビ）１の現在の位置から目的地の点までの経路の情報についても示してある。
【０１７４】
サーバ３では、位置情報受信部５５が情報通信端末（フォロワー）２から送信された目的地情報を位置に関する情報として受信し、位置情報送信部５６がその目的地情報を送信元の情報通信端末（ナビ）１に送信する。
情報通信端末（ナビ）１では、位置情報解析部１２がサーバ３から受信された目的地情報をナビゲーションの機能において設定する。具体的には、情報通信端末（ナビ）１では、位置情報解析部１２がその目的地情報に対応する目的地を設定して、ナビゲーションの機能により、現在の位置からその目的地の位置までの最適な経路を探索（検索）する。また、情報通信端末（ナビ）１では、表示部１４の画面１３０２に、その目的地の情報（目的地情報）１３５１を表示する。
ここで、図１９に示される例では、目的地情報１３５１として目的地の点の情報を示す際に、情報通信端末（ナビ）１の現在の位置から目的地の点までの経路の情報についても示してある。
【０１７５】
図２０は、本実施形態に係る通信システムにおいて行われる処理の流れの一例を示す図である。
情報通信端末（ナビ）１では、ユーザが送信ボタン１１２を押し下げると、パラメータ生成部１８が送信するパラメータの情報を生成（例えば、抽出）して（処理Ｔ４１）、サーバ３に送信する（処理Ｔ４２）。
サーバ３では、パラメータ認識部５２が情報通信端末（ナビ）１から送信されたパラメータの情報を認識（例えば、解析）して、文章生成部５３が文章化して（処理Ｔ４３）、送信対象となる情報通信端末（フォロワー）２に送信する（処理Ｔ４４）。また、サーバ３では、位置情報受信部５５が情報通信端末（ナビ）１から送信されたパラメータの情報（ここでは、特に、位置の情報）を受信し、位置情報送信部５６がそのパラメータの情報を送信対象となる情報通信端末（フォロワー）２に送信する（処理Ｔ４４）。
【０１７６】
この情報通信端末（フォロワー）２では、サーバ３から受信された情報に基づいて、位置情報解析部３２、地図データ合成部３３および表示部３４により表示用の地図データを表示する。また、この情報通信端末（フォロワー）２では、サーバ３から受信された文章の情報に基づいて、文章認識部３７、音声合成部３８および音声出力部３９により当該文章を読み上げる（処理Ｔ４５）。この情報通信端末（フォロワー）２では、ユーザが目的地情報２３５１を入力すると、パラメータ生成部４０がその回答の情報（この例では、目的地情報）をサーバ３に送信する（処理Ｔ４６）。
【０１７７】
サーバ３では、位置情報受信部５５が情報通信端末（フォロワー）２から送信された回答の情報（この例では、目的地情報）を受信してその回答の内容を解析し（処理Ｔ４７）、位置情報送信部５６がその回答の内容の情報（この例では、目的地情報）を送信元の情報通信端末（ナビ）１に送信する（処理Ｔ４８）。
情報通信端末（ナビ）１では、サーバ３から受信された回答の情報（この例では、目的地情報）に基づいて、了解ボタン１４１が押下されたことを検知して、位置情報解析部１２がその回答の情報（この例では、目的地情報）に対応する目的地を設定し、その目的地までの経路を探索し、地図データ合成部１３および表示部１４によりその目的地の情報（目的地情報）１３５１およびその経路の情報（経路情報）を画面１３０２に表示する（処理Ｔ４９）。なお、拒否ボタン１５１が押下されたことが検知された場合には、経路の設定も、経路情報の画面表示もなされない。
【０１７８】
このように、ユーザが情報通信端末（ナビ）１の現在の位置やナビゲーションの経路などの情報を、サーバ３を介して、当該情報通信端末（ナビ）１の現在の位置の付近（地元）に存在する不特定の情報通信端末（フォロワー）２に公開して、これら不特定の情報通信端末（フォロワー）２のユーザから、良い店（例えば、地元の人間しか知らないような店など）の情報を、サーバ３を介して、指示してもらう（受信する）ことができる。これにより、情報通信端末（ナビ）１のユーザは、良い店がわからない時などに、地元の人間から良い店を指示してもらって、その店を訪れることができる。
【０１７９】
なお、本実施形態では、情報通信端末（フォロワー）２からサーバ３を介して情報通信端末（ナビ）１へ目的地の情報を送信する構成を示したが、他の構成例として、目的地の代わりにまたは目的地と共に、経由地の情報を用いて、本実施形態と同様な処理を行うことも可能である。
【０１８０】
［第５実施形態］
本実施形態では、情報通信端末（ナビ）１における情報検索部２２により情報を検索する処理の例を示す。
情報通信端末（ナビ）１における情報検索部２２は、情報通信端末（フォロワー）２からサーバ３を介して受信した情報に基づいて、情報を検索する。また、情報検索部２２は、検索した情報を表示部１４の画面に表示することができる。
【０１８１】
一例として、情報検索部２２は、情報通信端末（フォロワー）２からサーバ３を介して、推薦する店や物品（例えば、飲食物など）などの情報を受信した場合に、その情報からキーワードを抽出や生成して、そのキーワードを使用して情報を検索する。
具体例として、情報検索部２２は、推薦された店の情報を検索した結果として、その店の営業時間や定休日などの情報を取得する。また、情報検索部２２は、推薦された物品の情報を検索した結果として、その物品の使用説明などの情報を取得する。
【０１８２】
また、情報検索部２２は、例えば、推薦された店の情報を検索した場合に、情報通信端末（ナビ）１におけるカレンダーの情報や時計の情報に基づいて、当該店への目的地到着時刻（予定）によると当該店の営業時間に間に合わないと判定したときや、本日は当該店の定休日であると判定したときに、その旨（警告）の情報を表示部１４の画面に表示することや、その店の情報を表示しないように制御することなどを行うことができる。
【０１８３】
［第６実施形態］
本実施形態では、サーバ３における情報検索部５７により情報を検索する処理の例を示す。
サーバ３における情報検索部５７は、情報通信端末（フォロワー）２から受信した情報通信端末（ナビ）１への情報に基づいて、情報を検索する。また、情報検索部５７は、検索した情報を、この情報通信端末（ナビ）１へ送信する。
【０１８４】
一例として、情報検索部５７は、情報通信端末（フォロワー）２から、情報通信端末（ナビ）１へ推薦する店や物品（例えば、飲食物など）などの情報を受信した場合に、その情報からキーワードを抽出や生成して、そのキーワードを使用して情報を検索する。
具体例として、情報検索部５７は、推薦された店の情報を検索した結果として、その店の営業時間や定休日などの情報を取得する。また、情報検索部５７は、推薦された物品の情報を検索した結果として、その物品の使用説明などの情報を取得する。
【０１８５】
また、情報検索部５７は、例えば、情報通信端末（ナビ）１へ推薦された店の情報を検索した場合に、サーバ３におけるカレンダーの情報や時計の情報に基づいて、この情報通信端末（ナビ）１の当該店への目的地到着時刻（予定）によると当該店の営業時間に間に合わないと判定したときや、本日は当該店の定休日であると判定したときに、その旨（警告）の情報をこの情報通信端末（ナビ）１に送信することや、その店の情報をこの情報通信端末（ナビ）１に送信しないように制御することなどを行うことができる。
【０１８６】
［以上の実施形態について］
以上のように、本実施形態に係る通信システムでは、ナビゲーションの機能を有する情報通信端末（ナビ）１−１〜１−Ｎがナビゲーションにおける予定の情報などをサーバ３に送信し、サーバ３が情報通信端末（ナビ）１−１〜１−Ｎから受信した情報に関する情報（受信した情報のままでもよい）を送信対象となる特定または不特定の情報通信端末（フォロワー）２−１〜２−Ｍに送信し、この情報通信端末（フォロワー）２−１〜２−Ｍがサーバ３から受信した情報に基づく情報（受信した情報のままでもよい）を表示や音声で出力する。
【０１８７】
したがって、本実施形態に係る通信システムによると、ナビゲーションの情報を効果的に利用することができる。
具体的には、本実施形態に係る通信システムによると、例えば、情報通信端末（ナビ）１−１〜１−Ｎから当該情報通信端末（ナビ）１−１〜１−Ｎのユーザの家族などの特定の情報通信端末（フォロワー）２−１〜２−Ｍへ、当該情報通信端末（ナビ）１−１〜１−Ｎの現在の位置や所定の文章などの情報を通知することができ、この情報通信端末（フォロワー）２−１〜２−Ｍのユーザは通知された情報を把握することができる。そして、この情報通信端末（フォロワー）２−１〜２−Ｍのユーザは、この情報通信端末（ナビ）１−１〜１−Ｎのユーザへ、様々な情報（回答）を通知することができる。
【０１８８】
また、本実施形態に係る通信システムによると、例えば、情報通信端末（ナビ）１−１〜１−Ｎから不特定の情報通信端末（フォロワー）２−１〜２−Ｍへ、当該情報通信端末（ナビ）１−１〜１−Ｎの現在の位置や所定の文章などの情報を通知することができる。そして、この情報通信端末（フォロワー）２−１〜２−Ｍのユーザは、この情報通信端末（ナビ）１−１〜１−Ｎのユーザへ、様々な情報（回答）を通知することができる。
【０１８９】
ここで、本実施形態では、情報通信端末（ナビ）１−１〜１−Ｎは、サーバ３を介して、送信対象となる情報通信端末（フォロワー）２−１〜２−Ｍに対して、ナビゲーションにおける予定の情報を送信する。この予定の情報としては、様々な情報が用いられてもよく、例えば、目的地の位置、目的地に到着する予想の時刻（目的地到着時刻）、現在においてナビゲーションにより設定されている経路の情報などのうちの１つ以上の情報を用いることができる。
【０１９０】
また、本実施形態では、各情報通信端末（ナビ）１−１〜１−Ｎからの情報の送信対象となる情報通信端末（フォロワー）２−１〜２−Ｍ（例えば、特定の場合と、不特定の場合）を特定する情報（例えば、アドレスの情報）をサーバ３における通信管理部５８が管理する構成を示したが、他の構成例として、各情報通信端末（ナビ）１−１〜１−Ｎにおいて、当該各情報通信端末（ナビ）１−１〜１−Ｎからの情報の送信対象となる情報通信端末（フォロワー）２−１〜２−Ｍ（例えば、特定の場合と、不特定の場合）を特定する情報（例えば、アドレスの情報）をメモリに記憶して管理することもできる。この構成では、例えば、各情報通信端末（ナビ）１−１〜１−Ｎは、情報を送信する場合に送信対象となる情報通信端末（フォロワー）２−１〜２−Ｍを特定する情報を付加し、サーバ３は受信した情報に付加された情報通信端末（フォロワー）２−１〜２−Ｍを特定する情報に基づいて送信対象となる情報通信端末（フォロワー）２−１〜２−Ｍを把握する。
【０１９１】
また、本実施形態では、各情報通信端末（ナビ）１−１〜１−Ｎにおける表示部１４の画面や、各情報通信端末（フォロワー）２−１〜２−Ｍにおける表示部３４の画面に、地図において、情報通信端末（ナビ）１−１〜１−Ｎの現在の位置の情報（現在位置情報）を表示する場合に、当該情報通信端末（ナビ）１−１〜１−Ｎのアドレスの情報（アドレス情報）を表示する構成を示したが、他の構成例として、アドレスの情報の代わりにまたはアドレスの情報と共に、各情報通信端末（ナビ）１−１〜１−Ｎを特定（識別）する様々な情報（例えば、装置の番号などの情報）を用いることができる。この構成では、例えば、情報通信端末（ナビ）１−１〜１−Ｎからサーバ３を介して情報通信端末（フォロワー）２−１〜２−Ｍへ、当該情報通信端末（ナビ）１−１〜１−Ｎを特定（識別）する情報（ここでは、アドレス以外の情報）を送信する。
【０１９２】
また、本実施形態では、サーバ３における文章生成部５３が、パラメータの情報や選択肢の情報（例えば、これらの情報のうちの一方または両方）から対応する文章の情報（または、選択肢の情報でもよい）へ変換するが、他の構成例として、この機能を情報通信端末（ナビ）１−１〜１−Ｎに備えることができる。この構成では、例えば、情報通信端末（ナビ）１−１〜１−Ｎにおいて、パラメータ生成部１８により生成されたパラメータの情報や選択肢選択部１６により選択された選択肢の情報（例えば、これらの情報のうちの一方または両方）から対応する文章の情報（または、選択肢の情報でもよい）へ変換することができる。また、この構成では、例えば、サーバ３において、情報通信端末（フォロワー）２から受信されたパラメータの情報や選択肢の情報（例えば、これらの情報のうちの一方または両方）をそのまま送信先となる情報通信端末（ナビ）１−１〜１−Ｎに送信し、この情報通信端末（ナビ）１−１〜１−Ｎにおいて、サーバ３から受信されたパラメータの情報や選択肢の情報（例えば、これらの情報のうちの一方または両方）から対応する文章の情報（または、選択肢の情報でもよい）へ変換することができる。
【０１９３】
また、本実施形態に係る通信システムにおける各装置（各情報通信端末（ナビ）１−１〜１−Ｎ、各情報通信端末（フォロワー）２−１〜２−Ｍ、サーバ３）に備えられた各処理部の配置は、一例であり、例えば、通信システムにおいて、任意の装置が備えられてもよく、任意の処理部の機能が任意の装置に備えられてもよい。
【０１９４】
＜以上の実施形態に係る構成例＞
一構成例として、ナビゲーションの機能を有する第１の情報通信端末（本実施形態では、情報通信端末（ナビ）１−１〜１−Ｎ）と、第２の情報通信端末（本実施形態では、情報通信端末（フォロワー）２−１〜２−Ｍ）と、通信装置（本実施形態では、サーバ３）と、を備え、前記第１の情報通信端末は、前記ナビゲーションにおける予定の情報を前記通信装置に送信する予定情報送信部（本実施形態では、パラメータ生成部１８やネットワークＩ／Ｆ１１）を備え、前記通信装置は、前記第１の情報通信端末から送信された予定の情報を受信する予定情報受信部（本実施形態では、例えば、ネットワークＩ／Ｆ５１や位置情報受信部５５）と、前記予定情報受信部により受信された予定の情報に基づく情報を前記第２の情報通信端末に送信する予定情報送信部（本実施形態では、例えば、位置情報送信部５６やネットワークＩ／Ｆ５１）と、を備え、前記第２の情報通信端末は、前記通信装置から送信された情報を受信する予定情報受信部（本実施形態では、例えば、ネットワークＩ／Ｆ３１や位置情報解析部３２）と、前記予定情報受信部により受信された情報に基づく情報を出力する出力部（本実施形態では、例えば、地図データ合成部３３や表示部３４）と、を備える、ことを特徴とする通信システムである。
したがって、第１の情報通信端末のナビゲーションにおける予定の情報を、通信装置を介して、第２の情報通信端末へ通知して出力することができる。
【０１９５】
一構成例として、前記第１の情報通信端末は、前記予定の情報を含む所定のパラメータの情報を生成するパラメータ生成部（本実施形態では、パラメータ生成部１８）を備え、前記第１の情報通信端末と前記通信装置のうちの一方または両方は、前記パラメータの情報に基づいて文章の情報を生成する文章生成部（本実施形態では、サーバ３の文章生成部５３）を備え、前記通信装置は、前記生成された文章の情報を前記第２の情報通信端末に送信する文章送信部（本実施形態では、文章生成部５３やネットワークＩ／Ｆ５１）を備え、前記第２の情報通信端末は、前記通信装置から送信された文章の情報を受信する文章受信部（本実施形態では、ネットワークＩ／Ｆ３１や文章認識部３７）と、前記文章受信部により受信された文章の情報を出力する文章出力部（本実施形態では、音声合成部３８および音声出力部３９や、地図データ合成部３３および表示部３４）と、を備える、ことを特徴とする通信システムである。
したがって、パラメータの情報に基づいて文章の情報を生成することができる。
【０１９６】
一構成例として、前記第１の情報通信端末は、前記予定の情報を含む所定のパラメータの情報を生成するパラメータ生成部（本実施形態では、パラメータ生成部１８）を備え、前記第１の情報通信端末と前記通信装置のうちの一方または両方は、前記パラメータの情報に基づいて選択肢の情報を生成する選択肢生成部（本実施形態では、サーバ３の選択肢生成部５４）を備え、前記通信装置は、前記生成された選択肢の情報を前記第２の情報通信端末に送信する選択肢送信部（本実施形態では、選択肢生成部５４やネットワークＩ／Ｆ５１）を備え、前記第２の情報通信端末は、前記通信装置から送信された選択肢の情報を受信する選択肢受信部（本実施形態では、ネットワークＩ／Ｆ３１）と、前記選択肢受信部により受信された選択肢の情報を出力する選択肢出力部（本実施形態では、例えば、表示部３４）と、を備える、ことを特徴とする通信システムである。
したがって、パラメータの情報に基づいて選択肢の情報を生成することができる。
【０１９７】
一構成例として、前記第１の情報通信端末は、所定の選択肢の情報を選択する選択肢選択部（本実施形態では、選択肢選択部１６）を備え、前記第１の情報通信端末と前記通信装置のうちの一方または両方は、前記選択された選択肢の情報に基づいて文章の情報を生成する文章生成部（本実施形態では、サーバ３の文章生成部５３）を備え、前記通信装置は、前記生成された文章の情報を前記第２の情報通信端末に送信する文章送信部（本実施形態では、サーバ３の文章生成部５３やネットワークＩ／Ｆ５１）を備え、前記第２の情報通信端末は、前記通信装置から送信された文章の情報を受信する文章受信部（本実施形態では、ネットワークＩ／Ｆ３１や文章認識部３７）と、前記文章受信部により受信された文章の情報を出力する文章出力部（本実施形態では、音声合成部３８および音声出力部３９や、地図データ合成部３３および表示部３４）と、を備える、ことを特徴とする通信システムである。
したがって、選択された選択肢の情報に基づいて文章の情報を生成することができる。
【０１９８】
一構成例として、前記第１の情報通信端末は、所定の選択肢の情報を選択する選択肢選択部（本実施形態では、選択肢選択部１６）を備え、前記第１の情報通信端末と前記通信装置のうちの一方または両方は、前記選択された選択肢の情報に基づいて選択肢の情報を生成する選択肢生成部（本実施形態では、サーバ３の選択肢生成部５４）を備え、前記通信装置は、前記生成された選択肢の情報を前記第２の情報通信端末に送信する選択肢送信部（本実施形態では、選択肢生成部５４やネットワークＩ／Ｆ５１）を備え、前記第２の情報通信端末は、前記通信装置から送信された選択肢の情報を受信する選択肢受信部（本実施形態では、ネットワークＩ／Ｆ３１）と、前記選択肢受信部により受信された選択肢の情報を出力する選択肢出力部（本実施形態では、例えば、表示部３４）と、を備える、ことを特徴とする通信システムである。
したがって、選択された選択肢の情報に基づいて選択肢の情報を生成することができる。
【０１９９】
一構成例として、前記第１の情報通信端末と前記通信装置のうちの一方または両方は、前記第２の情報通信端末から送信される情報に基づいて情報を検索する情報検索部（本実施形態では、情報通信端末（ナビ）１−１〜１−Ｎの情報検索部２２や、サーバ３の情報検索部５７）を備え、前記第１の情報通信端末は、前記情報検索部による情報の検索の結果を出力する情報検索結果出力部（本実施形態では、例えば、表示部１４や、音声合成部２０および音声出力部２１）を備える、ことを特徴とする通信システムである。
したがって、第２の情報通信端末から送信される情報に基づいて情報を検索することができ、その検索結果を出力することができる。
【０２００】
一構成例として、前記第１の情報通信端末と前記通信装置のうちの一方または両方は、前記第１の情報通信端末の通信対象となる前記第２の情報通信端末を管理する通信管理部（本実施形態では、サーバ３の通信管理部５８）を備える、ことを特徴とする通信システムである。
したがって、第１の情報通信端末の通信対象となる第２の情報通信端末を管理することができる。
【０２０１】
一構成例として、前記通信管理部は、特定と不特定とのそれぞれの場合について、前記第１の情報通信端末の通信対象となる前記第２の情報通信端末を管理する、ことを特徴とする通信システムである。
したがって、特定（例えば、非公開）の場合における通信対象と、不特定（例えば、公開）の場合における通信対象を、それぞれ、管理することができる。
【０２０２】
一構成例として、前記第２の情報通信端末は、所定のパラメータの情報を生成するパラメータ生成部（本実施形態では、パラメータ生成部４０）を備え、前記第２の情報通信端末と前記通信装置のうちの一方または両方は、前記パラメータの情報に基づいて文章の情報を生成する文章生成部（本実施形態では、サーバ３の文章生成部５３）を備え、前記通信装置は、前記生成された文章の情報を前記第１の情報通信端末に送信する文章送信部（本実施形態では、文章生成部５３やネットワークＩ／Ｆ５１）を備え、前記第１の情報通信端末は、前記通信装置から送信された文章の情報を受信する文章受信部（本実施形態では、ネットワークＩ／Ｆ１１や文章認識部１９）と、前記文章受信部により受信された文章の情報を出力する文章出力部（本実施形態では、音声合成部２０および音声出力部２１や、地図データ合成部１３および表示部１４）と、を備える、ことを特徴とする通信システムである。
したがって、パラメータの情報に基づいて文章の情報を生成することができる。
【０２０３】
一構成例として、前記第２の情報通信端末は、所定のパラメータの情報を生成するパラメータ生成部（本実施形態では、パラメータ生成部４０）を備え、前記第２の情報通信端末と前記通信装置のうちの一方または両方は、前記パラメータの情報に基づいて選択肢の情報を生成する選択肢生成部（本実施形態では、サーバ３の選択肢生成部５４）を備え、前記通信装置は、前記生成された選択肢の情報を前記第１の情報通信端末に送信する選択肢送信部（本実施形態では、選択肢生成部５４やネットワークＩ／Ｆ５１）を備え、前記第１の情報通信端末は、前記通信装置から送信された選択肢の情報を受信する選択肢受信部（本実施形態では、ネットワークＩ／Ｆ１１）と、前記選択肢受信部により受信された選択肢の情報を出力する選択肢出力部（本実施形態では、例えば、表示部１４）と、を備える、ことを特徴とする通信システムである。
したがって、パラメータの情報に基づいて選択肢の情報を生成することができる。
【０２０４】
一構成例として、前記第２の情報通信端末は、所定の選択肢の情報を選択する選択肢選択部（本実施形態では、選択肢選択部３６）を備え、前記第２の情報通信端末と前記通信装置のうちの一方または両方は、前記選択された選択肢の情報に基づいて文章の情報を生成する文章生成部（本実施形態では、サーバ３の文章生成部５３）を備え、前記通信装置は、前記生成された文章の情報を前記第１の情報通信端末に送信する文章送信部（本実施形態では、文章生成部５３やネットワークＩ／Ｆ５１）を備え、前記第１の情報通信端末は、前記通信装置から送信された文章の情報を受信する文章受信部（本実施形態では、ネットワークＩ／Ｆ１１や文章認識部１９）と、前記文章受信部により受信された文章の情報を出力する文章出力部（本実施形態では、音声合成部２０および音声出力部２１や、地図データ合成部１３および表示部１４）と、を備える、ことを特徴とする通信システムである。
したがって、選択された選択肢の情報に基づいて文章の情報を生成することができる。
【０２０５】
一構成例として、前記第２の情報通信端末は、所定の選択肢の情報を選択する選択肢選択部（本実施形態では、選択肢選択部３６）を備え、前記第２の情報通信端末と前記通信装置のうちの一方または両方は、前記選択された選択肢の情報に基づいて選択肢の情報を生成する選択肢生成部（本実施形態では、サーバ３の選択肢生成部５４）を備え、前記通信装置は、前記生成された選択肢の情報を前記第１の情報通信端末に送信する選択肢送信部（本実施形態では、選択肢生成部５４やネットワークＩ／Ｆ５１）を備え、前記第１の情報通信端末は、前記通信装置から送信された選択肢の情報を受信する選択肢受信部（本実施形態では、ネットワークＩ／Ｆ１１）と、前記選択肢受信部により受信された選択肢の情報を出力する選択肢出力部（本実施形態では、例えば、表示部１４）と、を備える、ことを特徴とする通信システムである。
したがって、選択された選択肢の情報に基づいて選択肢の情報を生成することができる。
【０２０６】
一構成例として、前記第１の情報通信端末と前記第２の情報通信端末のうちの一方または両方は、文章の情報に基づいて音声の情報を合成する音声合成部（本実施形態では、情報通信端末（ナビ）１−１〜１−Ｎの音声合成部２０や、情報通信端末（フォロワー）２−１〜２−Ｍの音声合成部３８）と、前記音声合成部により合成された音声を出力する音声出力部（本実施形態では、情報通信端末（ナビ）１−１〜１−Ｎの音声出力部２１や、情報通信端末（フォロワー）２−１〜２−Ｍの音声出力部３９）と、を備える、ことを特徴とする通信システムである。
したがって、文章の情報を音声として出力することができる。
一構成例として、前記第１の情報通信端末と前記第２の情報通信端末のうちの一方または両方は、上述の音声合成部と音声出力部に代えて、もしくはこれらとともに、この文章の情報を画面に表示させる表示部（本実施形態では、情報通信端末（ナビ）１−１〜１−Ｎの表示部１４や、情報通信端末（フォロワー）２−１〜２−Ｍの表示部３４）、を備える、ことを特徴とする通信システムである。
したがって、文章の情報を画面に表示することができる。
【０２０７】
一構成例として、前記第２の情報通信端末は、情報が入力される入力部（本実施形態では、入力部３５）を備え、前記パラメータ生成部（本実施形態では、パラメータ生成部４０）は、前記入力部に入力された情報に基づくパラメータの情報を生成する、ことを特徴とする通信システムである。
したがって、入力された情報に基づくパラメータの情報を生成することができる。
【０２０８】
一構成例として、前記第１の情報通信端末は、前記第２の情報通信端末から送信される情報に基づいてナビゲーションの設定を行うナビゲーション設定部（本実施形態では、例えば、位置情報解析部１２）を備える、ことを特徴とする通信システムである。
したがって、第１の情報通信端末は、第２の情報通信端末から送信される情報に基づいてナビゲーションの設定を行うことができる。
【０２０９】
一構成例として、前記第２の情報通信端末から送信される前記ナビゲーションの設定を行うための情報は、経路の情報または目的地の情報である、ことを特徴とする通信システムである。
したがって、第１の情報通信端末は、第２の情報通信端末から送信される経路の情報や目的地の情報に基づいてナビゲーションの設定を行うことができる。
【０２１０】
一構成例として、同一の項目の選択肢について、特定に対応する選択肢と、不特定に対応する選択肢を用いる、ことを特徴とする通信システムである。
したがって、同一の項目の選択肢について、特定（例えば、非公開）に対応する選択肢と、不特定（例えば、公開）に対応する選択肢を用いることができる。
【０２１１】
一構成例として、ナビゲーションの機能を有する第１の情報通信端末が、前記ナビゲーションにおける予定の情報を前記通信装置に送信し、前記通信装置が、前記第１の情報通信端末から送信された予定の情報を受信し、受信された予定の情報に基づく情報を第２の情報通信端末に送信し、前記第２の情報通信端末が、前記通信装置から送信された情報を受信し、受信された情報に基づく情報を出力する、ことを特徴とする通信方法である。
したがって、第１の情報通信端末のナビゲーションにおける予定の情報を、通信装置を介して、第２の情報通信端末へ通知して出力することができる。
【０２１２】
一構成例として、ナビゲーションの機能を有する第１の情報通信端末から送信される前記ナビゲーションにおける予定の情報を受信する予定情報受信部と、前記予定情報受信部により受信された予定の情報に基づく情報を当該情報に基づく情報を出力する第２の情報通信端末に送信する予定情報送信部と、を備えることを特徴とする通信装置である。
したがって、第１の情報通信端末のナビゲーションにおける予定の情報を、通信装置を介して、第２の情報通信端末へ通知して出力することができる。
【０２１３】
一構成例として、通信装置のコンピュータに、予定情報受信部が、ナビゲーションの機能を有する第１の情報通信端末から送信される前記ナビゲーションにおける予定の情報を受信する手順と、予定情報送信部が、前記予定情報受信部により受信された予定の情報に基づく情報を当該情報に基づく情報を出力する第２の情報通信端末に送信する手順と、を実行させるための通信プログラムである。
したがって、第１の情報通信端末のナビゲーションにおける予定の情報を、通信装置を介して、第２の情報通信端末へ通知して出力することができる。
【０２１４】
［まとめ］
なお、以上に説明した装置（例えば、各情報通信端末（ナビ）１−１〜１−Ｎ、各情報通信端末（フォロワー）２−１〜２−Ｍ、サーバ３）における任意の構成部（処理部）の機能を実現するためのプログラムを、コンピュータ読み取り可能な記録媒体に記録し、そのプログラムをコンピュータシステムに読み込ませて実行するようにしてもよい。なお、ここで言う「コンピュータシステム」とは、ＯＳ（Ｏｐｅｒａｔｉｎｇ  Ｓｙｓｔｅｍ）や周辺機器等のハードウェアを含むものとする。また、「コンピュータシステム」は、インターネットやＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピュータシステムに内蔵されるハードディスク等の記憶装置のことを言う。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ：Ｒａｎｄｏｍ  Ａｃｃｅｓｓ  Ｍｅｍｏｒｙ）のように、一定時間プログラムを保持しているものも含むものとする。
【０２１５】
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピュータシステムにすでに記録されているプログラムとの組み合わせで実現できるもの、いわゆる差分ファイル（差分プログラム）であってもよい。
【０２１６】
また、前述した機能の一部または全部を、ＬＳＩ（Ｌａｒｇｅ  Ｓｃａｌｅ  Ｉｎｔｅｇｒａｔｉｏｎ）等の集積回路として実現してもよい。前述した各機能は、個別にプロセッサ化されてもよいし、あるいは、一部または全部を集積してプロセッサ化されてもよい。また、集積回路化の手法としては、ＬＳＩに限られず、専用回路または汎用プロセッサで実現されてもよい。また、半導体技術の進歩によりＬＳＩに代替する集積回路化の技術が出現した場合には、当該技術による集積回路が用いられてもよい。
【０２１７】
以上、この発明の実施形態について図面を参照して詳述してきたが、具体的な構成はこの実施形態に限られるものではなく、この発明の要旨を逸脱しない範囲の設計等も含まれる。
【符号の説明】
【０２１８】
１−１〜１−Ｎ…情報通信端末（ナビ）、２−１〜２−Ｍ…情報通信端末（フォロワー）、３…サーバ、１１、３１、５１…ネットワークインタフェース、１２、３２…位置情報解析部、１３、３３…地図データ合成部、１４、３４…表示部、１５、３５…入力部、１６、３６…選択肢選択部、１７…パラメータデータベース（パラメータＤＢ）、１８、４０…パラメータ生成部、１９、３７…文章認識部、２０、３８…音声合成部、２１、３９…音声出力部、２２、５７…情報検索部、５２…パラメータ認識部、５３…文章生成部、５４…選択肢生成部、５５…位置情報受信部、５６…位置情報送信部、５８…通信管理部、１０１〜１０６、１００１、１００３、１２０１〜１２０２、１３０１〜１３０２、２００１〜２００２、２２０１〜２２０２、２３０１〜２３０２…画面、１１１…メニューボタン、１１２…送信ボタン、１１３、１０１１…所定ボタン、１２１、１２２１、１３２１、２０１１、２０２１、２２１１、２２２１、２３１１、２３２１…現在位置情報、１２２、１２２２、１３２２、２０１２、２０２２、２２１２、２２２２、２３１２、２３２２…アドレス情報、１３１〜１３６…指、１４１〜１４２、２０５１…了解ボタン、１５１…拒否ボタン、２０１…ステータスボタン、２０２…インフォメーションボタン、２０３…フリーワードボタン、２０４…メニュー消去ボタン、３０１…順調ボタン、３０２…渋滞ボタン、３０３…空腹ボタン、３０４…疲労ボタン、３０５…Ｗ．Ｃ．ボタン、３１１…公開ボタン、３１２…非公開ボタン、４０１…「△△△公園」ボタン、４０２…「□□□の滝」ボタン、４０３…「○○○醸造所」ボタン、４０４…「道の駅☆☆☆」ボタン、４１１…「月夜の宴」ボタン、４１２…「白兎の舞」ボタン、１２５１、２２５１…経路情報、１３５１、２３５１…目的地情報
【図１】
2014092816.tif 000003
【図２】
2014092816.tif 000004
【図３】
2014092816.tif 000005
【図４】
2014092816.tif 000006
【図５】
2014092816.tif 000007
【図６】
2014092816.tif 000008
【図７】
2014092816.tif 000009
【図８】
2014092816.tif 000010
【図９】
2014092816.tif 000011
【図１０】
2014092816.tif 000012
【図１１】
2014092816.tif 000013
【図１２】
2014092816.tif 000014
【図１３】
2014092816.tif 000015
【図１４】
2014092816.tif 000016
【図１５】
2014092816.tif 000017
【図１６】
2014092816.tif 000018
【図１８】
2014092816.tif 000019
【図２０】
2014092816.tif 000020
【図１７】
2014092816.tif 000021
【図１９】
2014092816.tif 000022